(57)【要約】      （修正有）【課題】フレーム間符号化された符号化映像信号を接続して編集しても、その結果得られた映像信号に乱れが生じないビデオ信号編集装置を提供する。【解決手段】それぞれ１つのＢフレームとＩフレームとが、この順番に１つのＧＯＰを構成している符号化映像信号同士を接続する場合に、符号化映像信号の最後にＢフレームが来る場合、同一またはそれ以降のＧＯＰのＩフレームまでを付加して区切る。また符号化映像信号の最初にＢフレームが来る場合、同一またはそれ以前のＧＯＰのＢフレームまたはＩフレームまでを付加して区切り、これらの符号化映像信号を接続する。【選択図】図１
2005341599.tif 000002
【特許請求の範囲】
【請求項１】
符号化された複数の符号化映像信号を接続するビデオ信号編集装置であって、
前記複数の符号化映像信号それぞれをＧＯＰの境が該符号化映像信号の端になるように区切る信号処理手段と、
前記信号処理手段が区切った符号化映像信号を重ねて接続する映像信号重ね合わせ手段と、
前記映像信号重ね合わせ手段により接続された前記複数の符号化映像信号の映像データそれぞれを元の映像信号の映像データに復号する復号手段と、
前記復号手段で復号した前記元の映像信号それぞれを切り換えて出力する切り換え手段と
を有するビデオ信号編集装置。
【請求項２】
前記ＧＯＰは、前記イントラフレームと両方向フレームとを交互に含み、前記両方向フレームの映像データは、元の映像データに復号する際に、両隣のイントラフレームの映像データを必要とし、
前記信号処理手段は、前記複数の符号化映像信号それぞれを前記イントラフレームが後端になるように区切る、
請求項１に記載のビデオ信号編集装置。
【請求項３】
前記ＧＯＰは、イントラフレーム、前方向フレームおよび両方向フレームを含み、前記両方向フレームの映像データは、元の映像データに復号する際に、両隣のフレームの映像データを必要とし、該前方向フレームの映像データは、元の映像データに復号する際に前のフレームの映像データを必要としており、
前記信号処理手段は、前記複数の符号化映像信号それぞれを前記ＧＯＰの境が端になるように区切る、
請求項１に記載のビデオ信号編集装置。
【請求項４】
前記信号処理手段は、前記符号化映像信号の最後にＢフレームが来る場合、同一またはそれ以降の前記ＧＯＰのＩフレームまでを付加して区切り、また、前記符号化映像信号の最初にＢフレームが来る場合、同一またはそれ以前の前記ＧＯＰのＢフレームまたはＩフレームまでを付加して区切る、
請求項１に記載のビデオ信号編集装置。
【請求項５】
符号化された複数の符号化映像信号を接続するビデオ信号編集方法であって、
前記複数の符号化映像信号それぞれをＧＯＰの境が該符号化映像信号の端になるように区切る信号処理工程と、
前記信号処理工程により区切られた符号化映像信号を重ねて接続する映像信号重ね合わせ工程と、
前記映像信号重ね合わせ工程により接続された前記複数の符号化映像信号の映像データそれぞれを元の映像信号の映像データに復号する復号工程と、
前記復号工程で復号した前記元の映像信号それぞれを切り換えて出力する切り換え工程と
を含む、ビデオ信号編集方法。
【請求項６】
符号化された複数の符号化映像信号を接続するビデオ信号編集装置であって、
前記複数の符号化映像信号それぞれをＧＯＰの境が該符号化映像信号の端になるように区切る信号処理手段と、
前記信号処理手段により区切られた前記複数の符号化映像信号の映像データそれぞれを元の映像信号の映像データに復号する復号手段と、
前記復号手段で復号した前記元の映像信号それぞれを切り換えて出力する切り換え手段と
を有する、ビデオ信号編集装置。
【請求項７】
符号化された複数の符号化映像信号を接続するビデオ信号編集方法であって、
前記複数の符号化映像信号それぞれをＧＯＰの境が該符号化映像信号の端になるように区切る信号処理工程と、
前記信号処理工程により区切られた前記複数の符号化映像信号の映像データそれぞれを元の映像信号の映像データに復号する復号工程と、
前記復号工程により復号された前記元の映像信号それぞれを切り換えて出力する切り換え工程と
を含む、ビデオ信号編集方法。
【請求項８】
符号化された複数の符号化映像信号を接続するビデオ信号編集装置であって、
前記複数の符号化映像信号それぞれをＧＯＰの境が該符号化映像信号の端になるように区切る信号処理手段と、
前記信号処理手段が区切った符号化映像信号を重ねて接続する映像信号重ね合わせ手段と
を有し、
前記ＧＯＰは、前記イントラフレームと両方向フレームとを交互に含み、前記両方向フレームの映像データは、元の映像データに復号する際に、両隣のイントラフレームの映像データを必要とし、
前記信号処理手段は、前記複数の符号化映像信号それぞれを前記イントラフレームが後端になるように区切る、
ビデオ信号編集装置。
【請求項９】
符号化された複数の符号化映像信号を接続するビデオ信号編集方法であって、
前記複数の符号化映像信号それぞれをＧＯＰの境が該符号化映像信号の端になるように区切る信号処理工程と、
前記信号処理工程により区切られた符号化映像信号を重ねて接続する映像信号重ね合わせ工程と
を有し、
前記ＧＯＰは、前記イントラフレームと両方向フレームとを交互に含み、前記両方向フレームの映像データは、元の映像データに復号する際に、両隣のイントラフレームの映像データを必要とし、
前記信号処理工程において、前記複数の符号化映像信号それぞれを前記イントラフレームが後端になるように区切る、
ビデオ信号編集方法。
【発明の詳細な説明】
【技術分野】
【０００１】
本発明は、符号間圧縮・符号化により圧縮・符号化された複数の符号化映像信号を１つに接続し、編集するビデオ信号編集装置に関する。
【背景技術】
【０００２】
映像信号（ビデオ信号）に含まれる複数のフレーム間の映像データの相関性に着目し、たとえば、ＭＰＥＧ（Ｍｏｔｉｏｎ  Ｐｉｃｔｕｒｅ  Ｅｘｐｅｒｔ  Ｇｒｏｕｐ）による画像圧縮技術を適用して、映像信号を複数のフレーム間で相関を有するようにフレーム間圧縮し、符号化して符号化映像信号を生成する映像信号圧縮・符号化装置が実用化されている。このような映像信号圧縮・符号化装置によって圧縮・符号化された符号化映像信号は、復号する際の単位となる複数のフレームごとにグループ分けされている。このようにフレーム間予測符号化（フレーム間圧縮・符号化）された複数の符号化映像信号を接続して編集作業を行うことがある。このように編集された符号化映像信号を伸長し、復号すると、符号化信号の性質に依存して符号化映像信号を接続した点（編集位置）で映像が乱れることがある。
【発明の開示】
【発明が解決しようとする課題】
【０００３】
以下、このような映像信号の乱れを、２つの符号化映像信号ａ，ｂそれぞれが復号する際に、両隣のフレームの映像データを必要とする両方向フレーム（Ｂフレーム）と、そのフレームの映像データ自体で完結しておりそのフレームの映像データを復号する際に他のフレームの映像データを必要としないイントラフレーム（Ｉフレーム）とが、この順番に並べられ、ＢフレームとＩフレームとの２フレームで１グループを構成している場合を例として説明する。
【０００４】
２つの符号化映像信号ａ，ｂを、ＢフレームとＩフレームの交互の順番で接続する場合には、まず、符号化映像信号ａ，ｂを、接続するタイミングで区切り、それから両信号を接続する必要がある。両信号を接続するタイミングが、符号化映像信号ａ，ｂの両方またはこれらのいずれかのＢフレームに当たる場合に、単純に符号化映像信号ａ，ｂを接続すると、復号する際に、編集位置にあるＢフレームの映像データを、他のフレームの映像データを用いて復号する必要がある。具体的に述べると、符号化映像信号ａの編集位置にＢフレームがある場合には、符号化映像信号ｂのＩフレームまたはＢフレームの映像データを用いて符号化映像信号ａのＢフレームの映像データを復号することになってしまう。符号化映像信号ａ，ｂ相互は一般的には何らの関係をも有さないので、編集位置の映像データが正常に復号できず、得られた映像に乱れが生じる。
【課題を解決するための手段】
【０００５】
本発明によれば、符号化された複数の符号化映像信号を接続するビデオ信号編集装置であって、前記複数の符号化映像信号それぞれをＧＯＰの境が該符号化映像信号の端になるように区切る信号処理手段と、前記信号処理手段が区切った符号化映像信号を重ねて接続する映像信号重ね合わせ手段と、前記映像信号重ね合わせ手段により接続された前記複数の符号化映像信号の映像データそれぞれを、元の映像信号の映像データに復号する復号手段と、前記復号手段で復号した前記元の映像信号それぞれを、切り換えて出力する切り換え手段とを有するビデオ信号編集装置が提供される。
また本発明によれば、符号化された複数の符号化映像信号を接続するビデオ信号編集方法であって、前記複数の符号化映像信号それぞれをＧＯＰの境が該符号化映像信号の端になるように区切る信号処理工程と、前記信号処理工程により区切られた符号化映像信号を重ねて接続する映像信号重ね合わせ工程と、前記映像信号重ね合わせ工程により接続された前記複数の符号化映像信号の映像データそれぞれを元の映像信号の映像データに復号する復号工程と、前記復号工程で復号した前記元の映像信号それぞれを切り換えて出力する切り換え工程とを含む、ビデオ信号編集方法が提供される。
【０００６】
さらに本発明によれば、符号化された複数の符号化映像信号を接続するビデオ信号編集装置であって、前記複数の符号化映像信号それぞれをＧＯＰの境が該符号化映像信号の端になるように区切る信号処理手段と、前記信号処理手段により区切られた前記複数の符号化映像信号の映像データそれぞれを元の映像信号の映像データに復号する復号手段と、前記復号手段で復号した前記元の映像信号それぞれを切り換えて出力する切り換え手段とを有する、ビデオ信号編集装置が提供される。
また本発明によれば、符号化された複数の符号化映像信号を接続するビデオ信号編集方法であって、前記複数の符号化映像信号それぞれをＧＯＰの境が該符号化映像信号の端になように区切る信号処理工程と、前記信号処理工程により区切られた前記複数の符号化映像信号の映像データそれぞれを元の映像信号の映像データに復号する復号工程と、前記復号工程により復号された前記元の映像信号それぞれを切り換えて出力する切り換え工程とを含む、ビデオ信号編集方法が提供される。
【０００７】
本発明によれば、符号化された複数の符号化映像信号を接続するビデオ信号編集装置であって、前記複数の符号化映像信号それぞれをＧＯＰの境が該符号化映像信号の端になるように区切る信号処理手段と、前記信号処理手段が区切った符号化映像信号を重ねて接続する映像信号重ね合わせ手段とを有し、前記ＧＯＰは、前記イントラフレームと両方向フレームとを交互に含み、前記両方向フレームの映像データは、元の映像データに復号する際に、両隣のイントラフレームの映像データを必要とし、前記信号処理手段は、前記複数の符号化映像信号それぞれを、前記イントラフレームが後端になるように区切る、ビデオ信号編集装置が提供される。
また本発明によれば、符号化された複数の符号化映像信号を接続するビデオ信号編集方法であって、前記複数の符号化映像信号それぞれをＧＯＰの境が該符号化映像信号の端になるように区切る信号処理工程と、前記信号処理工程において区切った符号化映像信号を重ねて接続する映像信号重ね合わせ工程とを有し、前記ＧＯＰは、前記イントラフレームと両方向フレームとを交互に含み、前記両方向フレームの映像データは、元の映像データに復号する際に、両隣のイントラフレームの映像データを必要とし、前記信号処理工程において、前記複数の符号化映像信号それぞれを前記イントラフレームが後端になるように区切る、ビデオ信号編集方法が提供される。
【発明の効果】
【０００８】
本発明のビデオ信号編集装置は放送局などにおけるビデオ信号の編集に用いることができる。
【発明を実施するための最良の形態】
【０００９】
第１実施例
以下、本発明のビデオ信号編集装置の第１の実施例を説明する。
図１を参照して本発明のビデオ信号編集装置１の構成を説明する。
図１は本発明のビデオ信号編集装置１の構成を示す図である。
ビデオ信号編集装置１は、映像信号が符号化されて記録されている光磁気ディスク（ＭＯ）１０から符号化映像信号を再生する光磁気ディスクドライブ（ＭＯドライブ）２０、信号変換・接続装置３０、伸長・復号装置４０および端末装置６０から構成されている。
【００１０】
ＭＯディスク１０には、例えばＭＰＥＧ（Ｍｏｔｉｏｎ  Ｐｉｃｔｕｒｅ  Ｅｘｐｅｒｔ  Ｇｒｏｕｐ）方式によるフレーム間予測符号化（フレーム間圧縮・符号化）により圧縮・符号化された符号化映像信号が記録されている。より具体的に述べると、例えば、ＭＯディスク１０に記録されている符号化映像信号は、そのフレームの映像信号を復号する際に、両隣のフレームの映像データを必要とする両方向フレーム（Ｂフレーム）映像信号と、そのフレームの映像データ自体で完結しておりそのフレームの映像データを復号する際に他のフレームの映像データを必要としないイントラフレーム（Ｉフレーム）映像信号とを交互に含んでおり、Ｂフレーム映像信号とＩフレーム映像信号が、この順番に並べられて２フレームで１つのグループ（これをＧｒｏｕｐ  Ｏｆ  Ｐｉｃｔｕｒｅ（ＧＯＰ）と呼ぶ）を構成している。
【００１１】
また、符号化映像信号Ｘ，Ｙそれぞれのフレームの先頭には、２種の符号化映像信号Ｘ，Ｙそれぞれを識別するために用いられる識別用フラグが設けられている。なお符号化映像信号Ｘ，Ｙとは、たとえば、Ｘ＝Ｉフレームの映像信号、Ｙ＝Ｂフレーム、または、この逆で、Ｘ＝Ｂフレームの映像信号、Ｙ＝Ｉフレームとなる任意の状態を示す意味に使用する。
ＭＯディスクドライブ２０は、端末装置６０により指定された編集位置に従って、所定の順番およびタイミングで、光学式ヘッド２２を介してＭＯディスク１０に記録されている符号化映像信号を読み出す。ＭＯディスクドライブ２０において、ＭＯディスク１０に記録された符号化映像信号を読みだす方法を図５〜図１１を参照して後述する。
上述した端末装置６０によって指定される編集位置は、ＶＴＲの編集などにおいて一般的に用いられているタイムコードにより指定される。指定されたタイムコードがＢフレームなのか、Ｉフレームなのかはビデオ信号を符号化するときに決定する。本実施例においてはＢフレームがタイムコードの偶数フレームになり、Ｉフレームが奇数フレームになるように決定している。
信号変換・接続装置３０は、ＳＣＳＩ（Ｓｍａｌｌ  Ｃｏｍｐｕｔｅｒ  Ｓｍａｌｌ  Ｉｎｔｅｒｆａｃｅ）データ変換回路３２、バッファメモリ３４、パラレル／シリアル（Ｐ／Ｓ）変換回路３６、コンピュータを内蔵した制御回路（ＣＰＵ）３８および識別フラグ挿入回路３９から構成されている。
ＳＣＳＩデータ変換回路３２は、ＭＯディスク１０から読み出されたＳＣＳＩ形式の符号化映像信号を通常の符号化映像信号（本実施例ではＳＤＩフォーマットによるビデオ信号）に変換してバッファメモリ３４に出力する。バッファメモリ３４は、図５Ａを参照して後述するように、ＭＯディスク１０上をシークする時間間隔を有する符号化映像信号Ｘ，Ｙを信号変換・接続装置３０と伸長・復号装置４０と間の伝送速度の信号に変換し、多重化してＰ／Ｓ変換回路３６に出力する。Ｐ／Ｓ変換回路３６はバッファメモリ３４に記憶されている符号化映像信号をシリアル形式の信号（本実施例では、ＳＤＤＩフォーマットのビデオ信号）に変換して伸長・復号装置４０に出力する。
【００１２】
制御回路３８は、信号変換・接続装置３０の各構成要素を制御する。
識別フラグ挿入回路３９はＰ／Ｓ変換回路３６と制御回路３８に対して符号化映像信号がＸであるかＹであるかを識別する識別フラグを挿入することを指示する。
伸長・復号装置４０は、シリアル／パラレル（Ｓ／Ｐ）変換回路４２、識別フラグ抽出回路４３、伸長・復号回路４４，４６、セレクタ回路４８、フレームメモリ５０、シリアルデータインターフェース（ＳＤＩ）変換回路５２およびコンピュータを内蔵した制御回路５４から構成される。
Ｓ／Ｐ変換回路４２は、接続装置３０のＰ／Ｓ変換回路３６から入力されたシリアル形式の符号化映像信号（本実施例ではＳＤＤＩフォーマットのビデオ信号）をパラレル形式の信号に変換する。Ｓ／Ｐ変換回路４２には符号化映像信号ＸとＹとは入り乱れて入力される。
識別フラグ抽出回路４３は、Ｓ／Ｐ変換回路４２でパラレル信号に変換されたＸとＹとは入り乱れている符号化映像信号を読み込んで、信号変換・接続装置３０において挿入された識別フラグを検出して、符号化映像信号がＸであるかＹであるかを識別し、その結果を示すフラグ（映像信号種別識別フラグ）を制御回路５４に出力する。
伸長・復号回路４４，４６は、信号処理の性能を高めるために２系統設けられている。これら伸長・復号回路４４，４６は符号化映像信号Ｘについては伸長・符号化回路４４で処理し、符号化映像信号Ｙについては伸長・符号化回路４６で処理するように分離して処理することもできる。その場合、識別フラグ抽出回路４３で抽出した映像信号種別識別フラグに基づいて制御回路５４が、符号化映像信号Ｘの場合は第１の伸長・符号化回路４４を動作させ、その結果をセレクタ回路４８から出力されるように制御し、また、符号化映像信号Ｙの場合は第２の伸長・符号化回路４６を動作させ、その結果をセレクタ回路４８から出力されるように制御する。あるいは、伸長・復号回路４４，４６をそれぞれ符号化映像信号Ｘ，Ｙのいずれも復号処理可能にしておき、たとえば、Ｓ／Ｐ変換回路４２に到来する信号を伸長・復号回路４４，４６の両者に入力されるようにしておき、制御回路５４からそれぞれの伸長・復号回路４４，４６に印加される識別フラグ抽出回路４３で抽出した映像信号種別識別フラグを参照して該当する伸長・復号回路４４または４６が処理を遂行し、その結果を制御回路５４からの指令に応答して動作するセレクタ回路４８から出力されるようにすることもできる。
【００１３】
なお、以上の制御回路５４の制御動作は、映像信号種別識別フラグだけはなく、制御回路５４が編集位置（切換位置）を示すＧＯＰ、有効数を参照して行う。
セレクタ回路４８は、制御回路５４の上述した制御に従って伸長・復号回路４４，４６で伸長・復号された映像信号ＸまたはＹのいずれかを選択してフレームメモリ５０に出力する。
フレームメモリ５０はセレクタ回路４８から出力された映像信号をフレーム単位で記憶する。
ＳＤＩ変換回路５２は、フレームメモリ５０に記憶されたシリアルディジタルデータインターフェース（ＳＤＤＩ）フォーマットのビデオ信号を、ＳＭＰＴＥ（Society of Motion and Television Engineerings ）の規格ＳＭＰＴＥ−２５９Ｍにおいて標準化されているＳＤＩフォーマットで後述するアクティブビデオ（ＡＣＶ）部に乗せて出力する。
ここで、ＳＤＩフォーマットとＳＤＤＩフォーマットについて述べる。
ＳＤＩ伝送フォーマット
図２ＡはＳＤＩフォーマットのビデオ信号のフレームの全体構成を示す図であり、図２ＢはＳＤＩフォーマットの伝送用パケットの構成を示す図である。
ＮＴＳＣ５２５方式のビデオ信号の場合、ＳＤＩフォーマットのディジタルビデオ信号は、１ライン当たり１０ビット／ワードで、（４＋２６８＋４＋１４４０）＝１７１６ワード、垂直方向に５２５ラインで構成されている。またＰＡＬ６２５方式のビデオ信号の場合、ＳＤＩフォーマットのディジタルビデオ信号は、水平方向に１ライン当たり１０ビット／ワードで、（４＋２８０＋４＋１４４０）＝１７２８ワード、垂直方向に６２５ラインで構成されている。図において、括弧内の数字はＰＡＬ６２５方式のビデオ信号の数値を示しており、括弧がない数字はＮＴＳＣ５２５方式のビデオ信号の数値を示している。以下、ＮＴＳＣ５２５方式の場合のみ述べる。
【００１４】
各ラインについて、第１ワードから第４ワードまでの４ワードはアクティブビデオ部ＡＣＶの終了を示し、後述するアンシラリデータ部ＡＮＣとを分離する符号、アクティブビデオ部終了符号ＥＡＶ（Ｅｎｄ  ｏｆ  Ａｃｔｉｖｅ  Ｖｉｄｅｏ）を格納する領域として用いる。４ワードの符号ＥＡＶは１６進表示で、３ＦＦ，０００，０００，ＸＹＺ（任意のデータ）である。
各ラインについて、ＮＴＳＣ５２５方式の場合は第５ワードから第２７２ワードまでの２６８ワードは、水平方向アンシラリデータ部ＡＮＣとして用いられ、ヘッダ、補助データおよび音声データ等が格納される。
各ラインについて、ＮＴＳＣ５２５方式の場合は第２７３から第２７６ワードまでの４ワードは、アクティブビデオ部ＡＣＶの開始を示し、アンシラリデータ部ＡＮＣとを分離する符号、アクティブビデオ部開始符号ＳＡＶ（Ｓｔａｒｔ  ｏｆ  Ａｃｔｉｖｅ  Ｖｉｄｅｏ）が格納される。４ワードの符号ＳＡＶは１６進表示で、３ＦＦ，０００，０００，ＸＹＺ（任意のデータ）である。つまりＥＡＶとＳＡＶとは、最初の３ワードが同じデータである。
ＮＴＳＣ５２５方式の場合もＰＡＬ６２５方式の場合も、水平方向に同じワード数、１４４０ワードのアクティブビデオ部ＡＣＶ（Ａｃｔｉｖｅ  Ｖｉｄｅｏ）が設けられており、ここにビデオ信号が格納される。５２５ライン（ＮＴＳＣ５２５方式の場合）は２つに大きく領域が分割されている。つまり、ＮＴＳＣ５２５方式の場合、第１０ラインから第２６３ラインまで（１０＋２４４＝２５４ライン）が第１フィールドのアクティブビデオ部ＡＣＶ1 として用いられ、第２７３ラインから第５２５ラインまでの（１０＋２４３＝２５３ライン）が第２フィールドのアクティブビデオ部ＡＣＶ2 として用いられる。
【００１５】
上述したＳＤＩフォーマットの信号は、２７０Ｍｂｐｓのシリアル伝送信号に変換されて編集装置などの装置相互間で送受信される。
規格ＳＭＰＴＥ−２５９は基本的にはディジタル信号の規格であるＤ１フォーマットまたはＤ２フォーマットを対象とした信号規格である。したがって、ＳＤＩフォーマットの信号もＤ１フォーマットまたはＤ２フォーマットのディジタルＡＶ信号として伝送に用いられる。ＳＤＩフォーマットの信号の伝送速度（伝送周波数）は２７０ＭＨｚと高速である。しかしながら、ＳＤＩフォーマットの信号は標準化のため、伝送可能な信号の量がディジタルビデオ信号１チャネル分のみに制限され、さらにベースバンドの音声信号８チャネル分のみに制限されている。そのため、ＳＤＩフォーマットを用いると伝送の限界に遭遇することがある。
【００１６】
ＳＤＤＩフォーマット
そこで本願出願人は、ＳＤＩフォーマットの利点を生かしつつ、ＳＤＩフォーマットと部分的に共通性を保ちながら、マルチメディア化またはマルチチャネル化などに好適であることはもとより、ローカルエリアネットワーク（ＬＡＮ）、イサーネット（Ｅｔｈｅｒ  Ｎｅｔ）、トークンリング（Ｔｏｋｅｎ  Ｒｉｎｇ）などのデータ通信系統においても好適な新規なディジタルデータフォーマットを提案している（たとえば、平成６年（１９９４年）６月２７日出願の特願平６−１４４，４０３号、「ディジタル信号伝送方法、ディジタル信号送信装置及び受信装置、並びに送受信装置」を参照されたい）。本出願人が提案した新たなフォーマットを、“シリアルディジタルデータ・インターフェース（ＳＤＤＩ）“のフォーマットと呼ぶ。
図３ＡはＳＤＤＩフォーマットを示す図であり、図３Ｂは図２Ａに図解したＳＤＤＩフォーマットの伝送用パケットの構成を示す図である。図４Ａは図３Ｂに示したＳＤＤＩフォーマットの伝送用パケットのアンシラリデータ部ＡＮＣに含まれるデータ、特に、ヘッダ（ＨＥＡＤＥＲ）の構成を示す図であり、図４Ｂは図４Ａに示したヘッダデータがアンシラリデータ部ＡＮＣに占める位置とその前後関係を示す図である。
ＮＴＳＣ５２５方式のビデオ信号の場合、ＳＤＤＩフォーマットのディジタルビデオ信号は、水平方向に１ライン当たり１０ビット／ワードで、（４＋２６８＋４＋１４４０）＝１７１６ワード、垂直方向に５２５ラインで構成されている。また、ＰＡＬ６２５方式のビデオ信号の場合、ＳＤＤＩフォーマットのディジタルビデオ信号は、水平方向に１ライン当たり１０ビット／ワードで、（４＋２８０＋４＋１４４０）＝１７２８ワード、垂直方向に６２５ラインで構成されている。図において、括弧内の数字はＰＡＬ６２５方式のビデオ信号の数値を示しており、括弧がない数字はＮＴＳＣ５２５方式のビデオ信号の数値を示している。以下、ＮＴＳＣ５２５方式についてのみ述べる。
【００１７】
各ラインについて、第１ワードから第４ワードまでの４ワードは、ペイロード部ＰＡＤ（ＳＤＩ信号のアクティブビデオ部ＡＣＶに相当する部分）の終了を示し、後述するアンシラリデータ部ＡＮＣとを分離する符号ＥＡＶ（Ｅｎｄ  ｏｆ  Ａｃｔｉｖｅ  Ｖｉｄｅｏ）を格納する領域として用いる。
各ラインについて、ＮＴＳＣ５２５方式の場合は第５ワードから第２７２ワードまでの２６８ワードは、アンシラリデータ部ＡＮＣとして用いられ、ヘッダ、補助データ等が格納される。
各ラインにおいて、ＮＴＳＣ５２５方式の場合は第２７３から第２７６ワードまでの４ワードペイロード部ＰＡＤ（アクティブビデオ部ＡＣＶ）の開始を示し、アンシラリデータ部ＡＮＣとを分離する符号ＳＡＶ（Ｓｔａｒｔ  ｏｆ  Ａｃｔｉｖｅ  Ｖｉｄｅｏ）が格納される。
ＮＴＳＣ５２５方式の場合の容量もＰＡＬ６２５方式の場合の容量も同じく、水平方向に１４４０ワードのペイロード部ＰＡＤが設けられており、ここにビデオ信号およびオーディオ信号が格納される。ＳＤＩフォーマットにおいてはオーディオ信号はアンシラリデータ部ＡＮＣにのみ格納されたが、ＳＤＤＩフォーマットにおいてはビデオ信号だけでなくオーディオ信号もペイロード部ＰＡＤに格納できる。なお、本発明においては、後述するように、編集位置（切換位置）における映像信号の乱れを防止するため、映像信号に重複する部分（のりしろ）を付加し、切換位置を正確に示す情報、ＧＯＰの数、有効数、映像信号の種別ＸまたはＹを用いるか、これらの情報を、ＳＤＤＩフォーマットのペイロード部ＰＡＤのＶｉｄｅｏ  Ｃｏｎｔｒｏｌ  Ｃｏｍｍａｎｄ（図示せず）に切換相手のＧＯＰが判るように設定する。
【００１８】
アクティブビデオ部の終了符号ＥＡＶは、ＳＤＩ信号のＥＡＶと最初の３ワードは、同じ、３ＦＦ，０００，０００，ＸＹＺで構成されている。ＥＡＶの後にＳＤＤＩフォーマット特有のアンシラリデータ部ＡＮＣが続く。ヘッダデータはＳＤＤＩフォーマットの伝送用パケットのアンシラリデータ部ＡＮＣの先頭に位置している。
ＳＤＩフォーマットとＳＤＤＩフォーマットとの共通点
ＳＤＩフォーマットとＳＤＤＩフォーマットの各ラインのデータ長、フレーム構成およびデータ伝送速度は同じにし、さらに、ＳＤＩフォーマットの伝送用パケットとＳＤＤＩフォーマットの伝送用パケットとに共通性を持たせている。    ＳＤＤＩフォーマットのビデオ信号の各ラインは、ＳＤＩフォーマットのビデオ信号の各ラインと同様に、水平方向に１ライン当たり同じワード数（１０ビット／ワードで、１７２４（１７１６）ワード）、垂直方向に同じライン数（５２５（６２５）ライン）で構成されており、ＳＤＩフォーマットの符号ＳＡＶ，ＥＡＶ、アンシラリデータ部ＡＮＣおよびアクティブビデオ部ＡＣＶ1 ，ＡＣＶ2 にそれぞれ相当する分離符号ＳＡＶ，ＥＡＶ、アンシラリデータ部ＡＮＣおよびペイロード部ＰＡＤ（データ部ＤＴ）を含む。
【００１９】
ＳＤＩフォーマットの信号もＳＤＤＩフォーマットの信号も２７０Ｍｂｐｓのシリアル形式の伝送信号に変換されて送受信される。したがって、同じ速度で信号処理できる。
ＳＤＩフォーマットとＳＤＤＩフォーマットとの相違点
ＳＤＩフォーマットにおいてはアンシラリデータ部ＡＮＣにオーディオ信号を格納するが、ＳＤＤＩフォーマットはＳＤＩフォーマットと異なり、アンシラリデータ部ＡＮＣデータにオーディオ信号を含まず、ペイロード部分にオーディオ信号およびビデオ信号を格納する。
ＳＤＤＩフォーマットの信号のフレームには、ＳＤＩビデオ信号の垂直ブランキング部ＶＢＫに対応する部分は含まれていない。
本実施例においては、ＭＯディスク１０からＳＤＩフォーマットで読み出されて、Ｐ／Ｓ変換回路３６からＳＤＤＩフォーマットで出力され、伸長・復号装置４０の内部はＳＤＤＩフォーマットの処理されて、ＳＤＩ変換回路５２でＳＤＩフォーマットの信号に変換されて外部に出力されていく。
以下、図５Ａ〜図５Ｄ〜図９Ａ、図９Ｂ、および、図１０および図１１を参照し、符号化映像信号Ｘの中に符号化映像信号Ｙを挿入する場合を具体例としてビデオ信号編集装置１の動作を説明する。
図５Ａ〜図５Ｄは図１に示したビデオ信号編集装置１の動作を説明する信号形態図であって、図５ＡはＭＯディスクドライブ２０からＳＣＳＩ形式の符号化映像信号Ｘ，Ｙが交互に出力されるタイミングを示し、図５Ｂは信号変換・接続装置３０から映像信号Ｘ，Ｙの編集位置（切換位置）を示すＧＯＰが出力されるタイミングを示し、図５Ｃおよび図５Ｄはそれぞれ、伸長・復号回路４４，４６において符号化映像信号Ｘ，Ｙが復号されるタイミングを示す。
図６Ａ、図６Ｂ、図６Ｃ〜図９Ａ、図９Ｂは、それぞれ編集位置と符号化映像信号Ｘ，Ｙのフレームとの関係、および、図１に示した信号変換・接続装置３０から伝送されてきた符号化映像信号を示す図である。図６Ａ、図７Ａ、図８Ａおよび図９Ａは編集位置と符号化映像信号Ｘ，Ｙのフレームとの関係を示し、図６Ｂ、図７Ｂ、図８Ｂおよび図９Ｂは信号変換・接続装置３０から伝送されてきた符号化映像信号のフォーマットを示す。
【００２０】
ＭＯディスクドライブ２０は、ＭＯディスク１０から、端末装置６０を介して指定された順番および時間長で、図５Ａに示すタイミングで符号化映像信号Ｘ，Ｙをそれぞれ読み出して信号変換・接続装置３０に対して出力する。ＭＯディスクドライブ２０から読み出された符号化映像信号Ｘ，Ｙの間には、ＭＯディスク１０上をシーク（ＳＥＥＫ）する時間だけ間隔が生じている。
ＭＯディスク１０から読み出された符号化映像信号は、ＳＣＳＩデータ変換回路３２を介してバッファメモリ３４に入力される。バッファメモリ３４は、符号化映像信号の速度を変換し、多重化してＰ／Ｓ変換回路３６に対して出力する。Ｐ／Ｓ変換回路３６は、符号化映像信号をシリアル形式の映像信号に変換して伸長・復号装置４０に伝送する。
伸長・復号装置４０内のＳ／Ｐ変換回路４２は、信号変換・接続装置３０内のＰ／Ｓ変換回路３６から伝送されてきたＳＤＤＩフォーマットの符号化映像信号をパラレル形式の映像信号に変換する。ここで、Ｓ／Ｐ変換回路４２から伸長・復号回路４４，４６に対して出力される符号化映像信号Ｘ，Ｙは、図５Ｃ，図５Ｄの斜線部分に示すように、各符号化映像信号Ｘ，Ｙそれぞれが完全に復号可能とするために、一部重複するように信号変換・接続装置３０から伝送されている。
これらの符号化映像信号Ｘ，Ｙの重複する部分を、本明細書において「のりしろ（重複部分）」と呼ぶ。のりしろを付加して編集位置で映像信号の乱れを防止するのが本発明の意図するところである。
ところが、Ｐ／Ｓ変換回路５２から出力されるシリアル形式の符号化ビデオ信号（つまり、ＳＤＤＩフォーマットのビデオ信号）のＧＯＰの数は図５Ｂに示すように「のりしろ」部分で増加する。したがって、編集位置（切換位置）を正確に決めるには、ＧＯＰの数、有効数、映像信号の種別ＸまたはＹが必要になる。これらの編集位置（切換位置）を示す情報は、ＳＤＤＩフォーマットのペイロード部ＰＡＤのＶｉｄｅｏ  Ｃｏｎｔｒｏｌ  Ｃｏｍｍａｎｄ（図示せず）に切換相手のＧＯＰが判るように設定する。
伸長・復号回路４４は、Ｓ／Ｐ変換回路４２から入力された符号化映像信号Ｘを伸長・復号する。つまり、伸長・復号回路４４には、識別フラグ抽出回路４３で抽出され、制御回路５４を介して伸長・復号回路４４に入力される自らが伸長・復号すべき符号化映像信号Ｘの識別フラグの値が設定されており、入力されてきた符号化映像信号の各フレームの識別フラグが設定された値と一致する場合にのみ、符号化映像信号の各フレームの映像データを伸長・復号して元の映像信号ＸまたはＹを生成し、識別フラグの一致を制御回路５４に対して通知する。
【００２１】
伸長・復号回路４６も、符号化映像信号ＹまたはＸについて伸長・復号回路４４と同様の動作を行って、符号化映像信号Ｙから元の映像信号ＹまたはＸを生成し、識別フラグの一致を制御回路５４に対して通知する。
セレクタ回路４８は、制御回路５４の制御に従って、伸長・復号回路４４，４６が生成した映像信号Ｘ，Ｙのいずれかを選択してフレームメモリ５０に対して出力する。つまり、伸長・復号回路４４，４６のいずれかが識別フラグの一致を示している場合には識別フラグが一致している方の映像信号を出力する。
また伸長・復号回路４４，４６の両方が識別フラグの一致を示している場合には、例えば、先に伸長・復号回路４４，４６のいずれかから出力されている映像信号が終了するまでその映像信号を出力し、その映像信号が終了した後に他の映像信号を出力する。
フレームメモリ５０は、セレクタ回路４８から入力されてきた映像信号をフレーム単位で記憶し、ＳＤＩ変換回路５２は、フレームメモリ５０に記憶された映像信号をＳＤＩ方式のビデオ信号として出力する。
【００２２】
編集位置に対するフレームの組み合わせ
編集位置に対するフレームの組み合わせは、符号化映像信号Ｘ，ＹがそれぞれＢフレームの映像信号とＩフレームの映像信号とになる場合（図６Ａ）、それぞれＩフレームとＢフレームとになる場合（図７Ａ）、両方がＢフレームとなる場合（図８Ａ）、および、両方がＩフレームとなる場合（図９Ａ）の４通りがある。図１０はこれを図解したフローチャートである。
以下、編集位置に対するフレームの組み合わせごとに、ＭＯディスクドライブ２０がＭＯディスク１０から符号化映像信号を読み出し、信号変換・接続装置３０から伝送する方法を説明する。
図１０、ステップ２〜４
図６Ａに示すように、符号化映像信号Ｘ，ＹがそれぞれＢフレーム映像信号とＩフレーム映像信号とになる場合には、そのまま読み出すと（区切ると）、符号化映像信号Ｙを完全に伸長・復号できるが、符号化映像信号Ｘを完全には伸長・復号できないことになる。このような場合には、ＭＯディスクドライブ２０はＭＯディスク１０から図６Ａに示す符号化信号Ｘ２のＢフレーム映像信号に次の符号化信号Ｘ２のＩフレーム映像信号を付加して読み出す。その結果、図６Ｂに示すように信号変換・接続装置３０からは、「のりしろ」の部分以前のＧＯＰには、それぞれ符号化映像信号Ｘ（Ｘ１）のみが出力され、編集位置においては「のりしろ」に対応するＧＯＰには符号化映像信号Ｘ２と符号化映像信号Ｙ２とが出力され、「のりしろ」の後のＧＯＰには符号化映像信号Ｙ（Ｙ３，Ｙ４，…）が出力される。
【００２３】
なお、のりしろは図６Ｂに示すように、ＳＤＤＩフォーマットに付けられる。図６Ｃは、図６Ｂに示したＳＤＤＩフォーマットの信号を伸長・復号回路４４，４６で伸長・復号したＳＤＩフォーマットの符号化信号を図解したものである。
切換位置を示す情報、つまり、ＧＯＰの数、有効数、映像信号の種別Ｘ，Ｙは前述したように、ＳＤＤＩフォーマットのペイロード部ＰＡＤ（図３Ｂ）のＶｉｄｅｏ  Ｃｏｎｔｒｏｌ  Ｃｏｍｍａｎｄ（図示せず）の部分に、切換相手のＧＯＰが判るように設定されている。したがって、制御装置５４はこれらの情報を参照した切換制御を行う。
図１０、ステップ５〜７
図７Ａに示すように、符号化映像信号Ｘ，ＹがそれぞれＩフレーム映像信号とＢフレーム映像信号とになる場合には、そのまま読み出すと符号化映像信号Ｘを完全に伸長・復号できるが、符号化映像信号Ｙが完全には伸長・復号不可能とない。このような場合には、ＭＯディスクドライブ２０は、符号化映像信号Ｙについて、編集位置の一つ前のＧＯＰの符号化映像信号Ｙ２から読み出す。その結果、図７Ｂに示すように、信号変換・接続装置３０からは、図６Ｂに示したのと同様な符号化映像信号が出力される。
図１０、ステップ８〜１０
図８Ａに示すように、符号化映像信号Ｘ，Ｙが両方ともＢフレーム映像信号となる場合には、そのまま読み出すと符号化映像信号Ｘ，Ｙが両方とも完全には伸長・復号不可能となってしまう。このような場合には、ＭＯディスクドライブ２０は、図８Ｂの信号ａ，ｂにそれぞれ示すように、符号化映像信号Ｘについては符号化映像信号Ｘ２のＩフレーム映像信号を付加して読み出し、符号化映像信号Ｙについては編集位置の１つ前の符号化映像信号Ｙ２から読み出し、信号変換・接続装置３０から図５Ｂの信号ａ，ｂのいずれかのタイミングで出力される。これらいずれの方法によっても、符号化映像信号Ｘ，Ｙの両方を完全に伸長・復号することができるので、ビデオ信号編集装置１の実際の構成に適した方法を採用することができる。
【００２４】
図８Ｂのａとｂとを比較すると、ｂのほうが、のりしろの位置が先行している。このことは、伸長・復号回路４４，４６の処理には時間的余裕も充分あり都合がいい。
図１０、ステップ８、１１、１２
図９Ａに示すように、符号化映像信号Ｘ，Ｙが両方ともＩフレーム映像信号となる場合には、そのまま読み出しても符号化映像信号Ｘ，Ｙが両方とも完全に伸長・復号可能である。このような場合には、ＭＯディスクドライブ２０は、図９Ｂの信号ａ，ｂにそれぞれ示すように、符号化映像信号Ｘについては、符号化映像信号Ｘ２までを読み出し、符号化映像信号Ｙについては編集位置から、あるいは、編集位置の１つ前から読み出す等の方法が考えられる。
図８Ｂに示した場合と同様に、これらいずれの方法によっても、符号化映像信号Ｘ，Ｙの両方を完全に伸長・復号することができるので、ビデオ信号編集装置１の実際の構成に適した方法を採用することができる。
【００２５】
第１実施例
第１の実施例に示したビデオ信号編集装置１によれば、ＭＯディスク１０から複数の符号化映像信号を、それぞれ編集位置と符号化映像信号のフレームとの関係で定まる所定のフレームを付加するようにＭＯディスクドライブ２０により読み出し、信号変換・接続装置３０により多重化することにより、容易に接続、編集することができ、しかも、編集の結果得られた映像信号に乱れが生じない。    また図８などに示したように、編集位置と符号化映像信号のフレームとの関係で付加すべきフレームの選択の自由度が高いので、ビデオ信号編集装置１の設計が容易である。
第１の実施例においては、ビデオ信号編集装置１をＭＯディスクドライブ２０でＭＯディスク１０から符号化映像信号を読み出す際に、符号化映像信号を完全に伸長・復号するためのフレームを付加するように構成したが、例えばＭＯディスク１０から符号化映像信号を読み出した後、符号化映像信号を一度メモリに記憶してから付加すべきフレームを定め、そのフレームを付加するように構成してもよい。このように、一度メモリに記憶してから所定のフレームを付加するように構成しても、第１の実施例に示したように、ＭＯディスクドライブ２０から読み出す際に所定のフレームを付加するように構成しても、符号化映像信号を区切るという意味ではこれらは同等である。
また図６〜図９に示したＭＯディスク１０から符号化映像信号を読み出す際の方法は例示であり、例えば「のりしろ」となる部分がさらに広くなるように規則を定めてもよい。
さらに伸長・復号装置４０から出力される信号のフォーマットは、ＳＤＩフォーマットに限らず、他の信号フォーマットであってもよい。
以上のように、ＭＯディスクドライブ２０からのりしろを付けるように読み出された信号は、図１１に示すフローチャートの処理に従って、信号変換・接続装置３０（編集装置）において処理される。
【００２６】
第２実施例
以下、本発明のビデオ信号編集装置の第２の実施例として、第１の実施例に示したのと異なるＧＯＰの構成を採るＭＯディスク１０を用いる場合に、ＭＯディスク１０から符号化映像信号を読み出す規則を説明する。
第２の実施例において、ＭＯディスク１０には、１ＧＯＰが４フレーム、つまり、第１のＢフレーム、Ｉフレーム、第２のＢフレームおよびそのフレームの映像データを伸長・復号する際に、その前のＩフレームの映像データを必要とする前方向フレーム（Ｐフレーム）が、この順番に並べられて構成された符号化映像信号が記録されている。
以下、このようなＭＯディスク１０について、ＧＯＰ単位に符号化映像信号の読み出しを行う場合について説明する。
編集位置が符号化映像信号の先頭に当たる場合には、その符号化映像信号の先フレームが第１のＢフレームの場合のみ１つ前のＧＯＰの先頭から読み出し、それ以外は同一のＧＯＰの先頭から読み出し、編集位置がその符号化映像信号の最後に当たる場合には、同一のＧＯＰのＰフレームまでを読み出せばよい。
【００２７】
編集位置が符号化映像信号の先頭となる場合の規則を説明する。
このような場合であって、編集位置が第１のＢフレームに当たる場合には、Ｂフレームを伸長・復号するために、前のＰフレームを必要とするため、１つ前のＧＯＰの先頭から読み出す。
編集位置がＩフレームに当たる場合には、伸長・復号の際に必要な前後フレームを必要としないため、同一のＧＯＰの先頭から読み出す。
編集位置が第２のＢフレームに当たる場合には、伸長・復号の際に必要な前後のＩフレームとＰフレームは同一のＧＯＰ内に存在するため、同一のＧＯＰの先頭から読み出す。
編集位置がＰフレームに当たる場合には、伸長・復号の際に必要なＩフレームは同一のＧＯＰ内に存在するため、同一のＧＯＰの先頭から読み出す。
次に、編集位置が符号化映像信号の最後となる場合の規則を説明する。
この場合、ＧＯＰ内の最後のフレームがＰフレームであり、編集位置がどのフレームに当たっても、伸長・復号の際に次のＧＯＰを必要としないため、いずれの場合も同一ＧＯＰのＰフレームまでを読み出せばよい。
【００２８】
編集位置が第２のＢフレームに当たる場合には、それ以降の他のＧＯＰのＩフレーム、または、同一のＧＯＰまたはそれ以前の他のＧＯＰのＰフレームまでを読み出す。
編集位置がＰフレームに当たる場合には、何らのフレームを付加せずに、同一のＧＯＰまたはそれ以降の他のＧＯＰのＩフレーム、または、それ以降の他のＧＯＰのＰフレームまでを読み出す。
以上の規則に従って、ＭＯディスクドライブ２０がＭＯディスク１０から符号化映像信号を読み出すように構成することにより、接続した後の各符号化映像信号を完全に伸長・復号することができる。
なお図５等に示したように、「のりしろ」部分の長さは、ビデオ信号編集装置１の実際の構成に合わせて定めればよい。
以上に示したＭＯディスク１０から符号化映像信号を読み出す規則は、１つ以上のＢフレーム、１つのＩフレーム、および、１つ以上のＰフレームが任意の順番で並べられたＧＯＰの構成を有するＭＯディスク１０を読み出す場合に共通である。
したがって、上述の規則を用いる限り、本発明のビデオ信号編集装置によれば、ＧＯＰ構成が、１つ以上のＢフレーム、１つのＩフレーム、および、１つ以上のＰフレームが任意の順番で並べられているという条件を満たす限り、いかなる符号化映像信号の接続、編集をも行うことが可能である。
【００２９】
また例えば伸長・復号回路４４を第２の実施例に示したＧＯＰの構成を有する符号化映像信号用に構成し、伸長・復号回路４６を第１の実施例に示したＧＯＰの構成を有する符号化映像信号用に構成して、ビデオ信号編集装置１を、これらの異なるＧＯＰ構成の符号化映像信号を接続する装置として用いることもできる。
本発明のビデオ信号編集装置は、各実施例に示したほか、ここで述べた変形例に示すように、種々の構成をとることができる。たとえば、ＭＯディスク１０に代えて、ハード・ディスク、および、ＭＯディスクドライブ２０に代えてハード・ディスクドライブを用いることもできる。
以上述べたように、本発明のビデオ信号編集装置によれば、フレーム間符号化により圧縮・符号化された映像信号を接続して編集することができる。
しかも、編集の結果得られた映像信号を伸長・復号して見ても、映像に乱れが生じることがない。
【図面の簡単な説明】
【００３０】
【図１】図１は本発明のビデオ信号編集装置の構成を示す図である。
【図２】図２Ａおよび図２Ｂは本発明のビデオ信号の第１の伝送フォーマットの１例としてＳＤＩフォーマットを図解する図である。
【図３】図３Ａおよび図３Ｂは本発明のビデオ信号の第２の伝送フォーマットの１例としてＳＤＤＩフォーマットを図解する図である。
【図４】図４Ａおよび図４Ｂは図３Ａおよび図３Ｂに示したＳＤＤＩフォーマットのアンシラリー部の詳細構成を示す図である。
【図５】図５は図１に示したビデオ信号編集装置の動作を説明する図であって、図５Ａは光磁気ディスクドライブからＳＣＳＩ形式の２種の符号化映像信号Ｘ，Ｙが出力されるタイミングを示し、図５Ｂは接続装置から符号化映像信号のＧＯＰが出力されるタイミングを示し、図５Ｃおよび図２Ｄはそれぞれ、２つの復号回路において符号化映像信号Ｘ，Ｙが復号されるタイミングを示す図である。
【図６】図６は編集位置に符号化映像信号Ｘ，ＹそれぞれのＢフレームとＩフレームが当たる場合に、図１に示した接続装置から出力される符号化映像信号を示す図であって、図６Ａは編集位置と符号化映像信号Ｘ，Ｙのフレームとの関係を示す図であり、図６Ｂは接続装置から出力されるＳＤＤＩフォーマットの符号化映像信号の内容を示す図であり、図６Ｃは図６Ｂに示したＳＤＤＩフォーマットの信号をＳＤＩフォーマットの信号に変換した図である。
【図７】図７は編集位置に符号化映像信号Ｘ，ＹそれぞれのＩフレームとＢフレームが当たる場合に図１に示した接続装置から出力される符号化映像信号を示す図であって、図７Ａは編集位置と符号化映像信号Ｘ，Ｙのフレームとの関係を示す図であり、図７Ｂは接続装置から出力される符号化映像信号の内容を示す図である。
【図８】図８は編集位置に符号化映像信号Ｘ，ＹそれぞれのＢフレームが当たる場合に図１に示した接続装置から出力される符号化映像信号を示す図であって、図８Ａは編集位置と符号化映像信号Ｘ，Ｙのフレームとの関係を示す図であり、図８Ｂは接続装置から出力される符号化映像信号の内容を示す図である。
【図９】図９は編集位置に符号化映像信号Ｘ，ＹそれぞれのＩフレームが当たる場合に図１に示した接続装置から出力される符号化映像信号を示す図であって、図９Ａは編集位置と符号化映像信号Ｘ，Ｙのフレームとの関係を示す図であり、図９Ｂは接続装置から出力される符号化映像信号の内容を示す図である。
【図１０】図１０は図６〜図９に示した編集の信号処理を示すフローチャートである。
【図１１】図１１は図６〜図９に示した編集の信号処理を示すフローチャートである。
【符号の説明】
【００３１】
１０・・ＭＯディスク、２０・・ＭＯディスクドライブ、２２・・光学式ヘッド、３０・・信号変換・接続装置、３２・・ＳＣＳＩデータ変換回路、３４・・バッファメモリ、３６・・Ｐ／Ｓ変換回路、３８・・制御回路、３９・・識別フラグ挿入回路、４０・・伸長・復号装置、４２・・Ｓ／Ｐ変換回路、４３・・識別フラグ抽出回路、４４，４６・・伸長・復号回路、４８・・セレクタ回路、５０・・フレームメモリ、５２・・ＳＤＩ変換回路、５４・・制御回路
【図１】
2005341599.tif 000003
【図２】
2005341599.tif 000004
【図３】
2005341599.tif 000005
【図４】
2005341599.tif 000006
【図５】
2005341599.tif 000007
【図６】
2005341599.tif 000008
【図７】
2005341599.tif 000009
【図８】
2005341599.tif 000010
【図９】
2005341599.tif 000011
【図１０】
2005341599.tif 000012
【図１１】
2005341599.tif 000013
【手続補正書】
【提出日】平成17年6月29日(2005.6.29)
【手続補正１】
【補正対象書類名】特許請求の範囲
【補正対象項目名】全文
【補正方法】変更
【補正の内容】
【特許請求の範囲】
【請求項１】
第１の符号化ストリームと第２の符号化ストリームとを接続するビデオ信号編集装置であって、  上記第１の符号化ストリームを、上記第１の符号化ストリームに設定された第１の編集位置近傍のピクチャを復号するのに必要な参照ピクチャを含んだ位置まで復号して第１の画像データを生成する第１の復号手段と、  上記第２の符号化ストリームを、上記第２の符号化ストリームに設定された第２の編集位置近傍のピクチャを復号するのに必要な参照ピクチャを含んだ位置から復号して第２の画像データを生成する第２復号手段と、  上記第１の復号手段により復号された第１の画像データと上記第２の復号手段により復号された第２の画像データとを、上記第１の編集点及び上記第２の編集点で切り替えて出力することにより、編集された編集画像データを生成する編集手段と  を有する、ビデオ信号編集装置。
【請求項２】
上記第１の復号手段は、上記第１の編集位置近傍のピクチャを復号するのに必要な参照ピクチャまで復号する、  請求項１に記載のビデオ信号編集装置。
【請求項３】
上記第１の復号手段は、上記第１の編集位置近傍のピクチャを復号するのに必要な参照ピクチャを含んだＧＯＰまで復号する、  請求項１に記載のビデオ信号編集装置。
【請求項４】
上記第１の復号手段は、上記第１の編集位置に対応するピクチャがＩピクチャであれば、上記第１の編集位置まで復号する、  請求項１に記載のビデオ信号編集装置。
【請求項５】
上記第２の復号手段は、上記第２の編集位置近傍のピクチャを復号するのに必要な参照ピクチャから復号する、  請求項１に記載のビデオ信号編集装置。
【請求項６】
上記第２の復号手段は、上記第２の編集位置近傍のピクチャを復号するのに必要な参照ピクチャを含んだＧＯＰから復号する、  請求項１に記載のビデオ信号編集装置。
【請求項７】
上記第２の復号手段は、上記第２の編集位置に対応するピクチャがＩピクチャであれば、上記第２の編集位置から復号する、  請求項１に記載のビデオ信号編集装置。
【請求項８】
第１の符号化ストリームと第２の符号化ストリームとを接続して編集するビデオ信号編集装置であって、  上記第１の符号化ストリームを復号して第１の画像データを生成するとともに、上記第２の符号化ストリームを復号して第２の画像データを生成する復号手段と、  上記第１の符号化ストリームに設定された第１の編集位置近傍のピクチャを復号するのに必要な参照ピクチャを含んだ位置まで、上記第１の符号化ストリームを復号するように上記復号手段を制御するとともに、上記第２の符号化ストリームに設定された第２の編集位置近傍のピクチャを復号するのに必要な参照ピクチャを含んだ位置から、上記第２の符号化ストリーム復号するように上記復号手段を制御する制御手段と、  上記復号手段により復号された上記第１の画像データと上記第２の画像データとを、上記第１の編集点及び上記第２の編集点で切り替えて出力することにより、編集された編集画像データを生成する編集手段と  を有するビデオ信号編集装置。
【請求項９】
第１の符号化ストリームと第２の符号化ストリームとを接続するビデオ信号編集装置であって、  上記第１の符号化ストリームを、上記第１の符号化ストリームに設定された第１の編集位置近傍のピクチャを復号するのに必要な参照ピクチャを含んだ復号終了位置で区切るとともに、上記第２の符号化ストリームを、上記第２の符号化ストリームに設定された第２の編集位置近傍のピクチャを復号するのに必要な参照ピクチャを含んだ復号開始位置で区切る区切り手段と、  上記第１の符号化ストリーム及び上記第２の符号化ストリームを復号して、第１の画像データ及び第２の画像データを生成する復号手段と、  上記第１の符号化ストリームを上記区切り手段により区切られた復号終了位置まで復号するように、上記復号手段を制御するとともに、上記第２の符号化ストリームを上記区切り手段により区切られた復号開始位置から復号するように、上記復号手段を制御する制御手段と、  上記第１の復号手段により復号された第１の画像データと上記第２の復号手段により復号された第２の画像データとを、上記第１の編集点及び上記第２の編集点で切り替えて出力することにより、編集された編集画像データを生成する編集手段と  を有するビデオ信号編集装置。
【請求項１０】
第１の符号化ストリームと第２の符号化ストリームとを記録媒体から読み出して接続するビデオ信号編集装置であって、  上記記録媒体から、上記第１の符号化ストリームを上記第１の符号化ストリームに設定された第１の編集位置近傍のピクチャを復号するのに必要な参照ピクチャを含んだ位置まで読み出すとともに、上記第２の符号化ストリームを上記第２の符号化ストリームに設定された第２の編集位置近傍のピクチャを復号するのに必要な参照ピクチャを含んだ位置から読み出す読み出し手段と、  上記読み出し手段により読み出された上記第１の符号化ストリーム及び上記第２の符号化ストリームを復号して、第１の画像データ及び第２の画像データを生成する復号手段と、  上記第１の復号手段により復号された第１の画像データと上記第２の復号手段により復号された第２の画像データとを、上記第１の編集点及び上記第２の編集点で切り替えて出力することにより、編集された編集画像データを生成する編集手段と  を有するビデオ信号編集装置。
【請求項１１】
第１の符号化ストリームと第２の符号化ストリームとを接続するビデオ信号編集方法であって、  上記第１の符号化ストリームを、上記第１の符号化ストリームに設定された第１の編集位置近傍のピクチャを復号するのに必要な参照ピクチャを含んだ位置まで復号して、第１の画像データを生成するとともに、上記第２の符号化ストリームを、上記第２の符号化ストリームに設定された第２の編集位置近傍のピクチャを復号するのに必要な参照ピクチャを含んだ位置から復号して、第２の画像データを生成する復号工程と、  上記復号工程により復号された第１の画像データと上記第２の画像データとを、上記第１の編集点及び上記第２の編集点で切り替えて出力することにより、編集された編集画像データを生成する編集工程と  を含むビデオ信号編集方法。
【請求項１２】
第１の符号化ストリームと第２の符号化ストリームとを接続して編集するビデオ信号編集方法であって、  上記第１の符号化ストリームを復号して第１の画像データを生成するとともに、上記第２の符号化ストリームを復号して第２の画像データを生成する復号工程と、  上記第１の符号化ストリームに設定された第１の編集位置近傍のピクチャを復号するのに必要な参照ピクチャを含んだ位置まで、上記第１の符号化ストリームを復号するように上記復号工程の復号を制御するとともに、上記第２の符号化ストリームに設定された第２の編集位置近傍のピクチャを復号するのに必要な参照ピクチャを含んだ位置から、上記第２の符号化ストリーム復号するように上記復号工程の復号を制御する制御工程と、  上記復号工程により復号された上記第１の画像データと上記第２の画像データとを、上記第１の編集点及び上記第２の編集点で切り替えて出力することにより、編集された編集画像データを生成する編集工程と  を含むビデオ信号編集方法。
【請求項１３】
第１の符号化ストリームと第２の符号化ストリームとを接続するビデオ信号編集方法であって、  上記第１の符号化ストリームを、上記第１の符号化ストリームに設定された第１の編集位置近傍のピクチャを復号するのに必要な参照ピクチャを含んだ復号終了位置で区切るとともに、上記第２の符号化ストリームを、上記第２の符号化ストリームに設定された第２の編集位置近傍のピクチャを復号するのに必要な参照ピクチャを含んだ復号開始位置で区切る区切り工程と、  上記第１の符号化ストリーム及び上記第２の符号化ストリームを復号して、第１の画像データ及び第２の画像データを生成する復号工程と、  上記第１の符号化ストリームを上記区切り手段により区切られた復号終了位置まで復号するように、上記復号工程の復号を制御するとともに、上記第２の符号化ストリームを上記区切り手段により区切られた復号開始位置から復号するように、上記復号工程の復号を制御する制御工程と、  上記復号工程により復号された第１の画像データと上記第第２の画像データとを、上記第１の編集点及び上記第２の編集点で切り替えて出力することにより、編集された編集画像データを生成する編集工程と  を含むビデオ信号編集方法。
【請求項１４】
第１の符号化ストリームと第２の符号化ストリームとを記録媒体から読み出して接続するビデオ信号編集方法であって、  上記記録媒体から、上記第１の符号化ストリームを上記第１の符号化ストリームに設定された第１の編集位置近傍のピクチャを復号するのに必要な参照ピクチャを含んだ位置まで読み出すとともに、上記第２の符号化ストリームを上記第２の符号化ストリームに設定された第２の編集位置近傍のピクチャを復号するのに必要な参照ピクチャを含んだ位置から読み出す読み出し工程と、  上記読み出し工程により読み出された上記第１の符号化ストリーム及び上記第２の符号化ストリームを復号して、第１の画像データ及び第２の画像データを生成する復号工程と、  上記第復号工程により復号された第１の画像データと上記第２の画像データとを、上記第１の編集点及び上記第２の編集点で切り替えて出力することにより、編集された編集画像データを生成する編集工程と  を含むビデオ信号編集方法。
【手続補正２】
【補正対象書類名】明細書
【補正対象項目名】全文
【補正方法】変更
【補正の内容】
【発明の詳細な説明】
【技術分野】
【０００１】  本発明は、符号間圧縮・符号化により圧縮・符号化された複数の符号化映像信号を１つに接続し、編集するビデオ信号編集装置とビデオ信号編集方法に関する。
【背景技術】
【０００２】  映像信号（ビデオ信号）に含まれる複数のフレーム間の映像データの相関性に着目し、たとえば、ＭＰＥＧ（Ｍｏｔｉｏｎ  Ｐｉｃｔｕｒｅ  Ｅｘｐｅｒｔ  Ｇｒｏｕｐ）による画像圧縮技術を適用して、映像信号を複数のフレーム間で相関を有するようにフレーム間圧縮し、符号化して符号化映像信号を生成する映像信号圧縮・符号化装置が実用化されている。  このような映像信号圧縮・符号化装置によって圧縮・符号化された符号化映像信号は、復号する際の単位となる複数のフレームごとにグループ分けされている。  このようにフレーム間予測符号化（フレーム間圧縮・符号化）された複数の符号化映像信号を接続して編集作業を行うことがある。  このように編集された符号化映像信号を伸長し、復号すると、符号化信号の性質に依存して符号化映像信号を接続した点（編集位置）で映像が乱れることがある。
【発明の開示】
【発明が解決しようとする課題】
【０００３】  以下、このような映像信号の乱れを、２つの符号化映像信号ａ，ｂそれぞれが復号する際に、両隣のフレームの映像データを必要とする両方向フレーム（Ｂフレーム）と、そのフレームの映像データ自体で完結しておりそのフレームの映像データを復号する際に他のフレームの映像データを必要としないイントラフレーム（Ｉフレーム）とが、この順番に並べられ、ＢフレームとＩフレームとの２フレームで１グループを構成している場合を例として説明する。【０００４】  ２つの符号化映像信号ａ，ｂを、ＢフレームとＩフレームの交互の順番で接続する場合には、まず、符号化映像信号ａ，ｂを、接続するタイミングで区切り、それから両信号を接続する必要がある。両信号を接続するタイミングが、符号化映像信号ａ，ｂの両方またはこれらのいずれかのＢフレームに当たる場合に、単純に符号化映像信号ａ，ｂを接続すると、復号する際に、編集位置にあるＢフレームの映像データを、他のフレームの映像データを用いて復号する必要がある。  具体的に述べると、符号化映像信号ａの編集位置にＢフレームがある場合には、符号化映像信号ｂのＩフレームまたはＢフレームの映像データを用いて符号化映像信号ａのＢフレームの映像データを復号することになってしまう。符号化映像信号ａ，ｂ相互は一般的には何らの関係をも有さないので、編集位置の映像データが正常に復号できず、得られた映像に乱れが生じる。
【課題を解決するための手段】
【０００５】  本発明によれば、第１の符号化ストリームと第２の符号化ストリームとを接続するビデオ信号編集装置であって、上記第１の符号化ストリームを、上記第１の符号化ストリームに設定された第１の編集位置近傍のピクチャを復号するのに必要な参照ピクチャを含んだ位置まで復号して第１の画像データを生成する第１の復号手段と、上記第２の符号化ストリームを、上記第２の符号化ストリームに設定された第２の編集位置近傍のピクチャを復号するのに必要な参照ピクチャを含んだ位置から復号して第２の画像データを生成する第２復号手段と、上記第１の復号手段により復号された第１の画像データと上記第２の復号手段により復号された第２の画像データとを、上記第１の編集点及び上記第２の編集点で切り替えて出力することにより、編集された編集画像データを生成する編集手段とを有する、ビデオ信号編集装置が提供される。【０００６】  本発明によれば、第１の符号化ストリームと第２の符号化ストリームとを接続して編集するビデオ信号編集装置であって、上記第１の符号化ストリームを復号して第１の画像データを生成するとともに、上記第２の符号化ストリームを復号して第２の画像データを生成する復号手段と、上記第１の符号化ストリームに設定された第１の編集位置近傍のピクチャを復号するのに必要な参照ピクチャを含んだ位置まで、上記第１の符号化ストリームを復号するように上記復号手段を制御するとともに、上記第２の符号化ストリームに設定された第２の編集位置近傍のピクチャを復号するのに必要な参照ピクチャを含んだ位置から、上記第２の符号化ストリーム復号するように上記復号手段を制御する制御手段と、上記復号手段により復号された上記第１の画像データと上記第２の画像データとを、上記第１の編集点及び上記第２の編集点で切り替えて出力することにより、編集された編集画像データを生成する編集手段とを有するビデオ信号編集装置が提供される。【０００７】  本発明によれば、第１の符号化ストリームと第２の符号化ストリームとを接続するビデオ信号編集装置であって、上記第１の符号化ストリームを、上記第１の符号化ストリームに設定された第１の編集位置近傍のピクチャを復号するのに必要な参照ピクチャを含んだ復号終了位置で区切るとともに、上記第２の符号化ストリームを、上記第２の符号化ストリームに設定された第２の編集位置近傍のピクチャを復号するのに必要な参照ピクチャを含んだ復号開始位置で区切る区切り手段と、上記第１の符号化ストリーム及び上記第２の符号化ストリームを復号して、第１の画像データ及び第２の画像データを生成する復号手段と、上記第１の符号化ストリームを上記区切り手段により区切られた復号終了位置まで復号するように、上記復号手段を制御するとともに、上記第２の符号化ストリームを上記区切り手段により区切られた復号開始位置から復号するように、上記復号手段を制御する制御手段と、上記第１の復号手段により復号された第１の画像データと上記第２の復号手段により復号された第２の画像データとを、上記第１の編集点及び上記第２の編集点で切り替えて出力することにより、編集された編集画像データを生成する編集手段とを有するビデオ信号編集装置が提供される。【０００８】  本発明によれば、第１の符号化ストリームと第２の符号化ストリームとを記録媒体から読み出して接続するビデオ信号編集装置であって、上記記録媒体から、上記第１の符号化ストリームを上記第１の符号化ストリームに設定された第１の編集位置近傍のピクチャを復号するのに必要な参照ピクチャを含んだ位置まで読み出すとともに、上記第２の符号化ストリームを上記第２の符号化ストリームに設定された第２の編集位置近傍のピクチャを復号するのに必要な参照ピクチャを含んだ位置から読み出す読み出し手段と、上記読み出し手段により読み出された上記第１の符号化ストリーム及び上記第２の符号化ストリームを復号して、第１の画像データ及び第２の画像データを生成する復号手段と、上記第１の復号手段により復号された第１の画像データと上記第２の復号手段により復号された第２の画像データとを、上記第１の編集点及び上記第２の編集点で切り替えて出力することにより、編集された編集画像データを生成する編集手段とを有するビデオ信号編集装置が提供される。【０００９】  本発明によれば、第１の符号化ストリームと第２の符号化ストリームとを接続するビデオ信号編集方法であって、上記第１の符号化ストリームを、上記第１の符号化ストリームに設定された第１の編集位置近傍のピクチャを復号するのに必要な参照ピクチャを含んだ位置まで復号して、第１の画像データを生成するとともに、上記第２の符号化ストリームを、上記第２の符号化ストリームに設定された第２の編集位置近傍のピクチャを復号するのに必要な参照ピクチャを含んだ位置から復号して、第２の画像データを生成する復号工程と、上記復号工程により復号された第１の画像データと上記第２の画像データとを、上記第１の編集点及び上記第２の編集点で切り替えて出力することにより、編集された編集画像データを生成する編集工程とを含むビデオ信号編集方法が提供される。【００１０】  本発明によれば、第１の符号化ストリームと第２の符号化ストリームとを接続して編集するビデオ信号編集方法であって、上記第１の符号化ストリームを復号して第１の画像データを生成するとともに、上記第２の符号化ストリームを復号して第２の画像データを生成する復号工程と、上記第１の符号化ストリームに設定された第１の編集位置近傍のピクチャを復号するのに必要な参照ピクチャを含んだ位置まで、上記第１の符号化ストリームを復号するように上記復号工程の復号を制御するとともに、上記第２の符号化ストリームに設定された第２の編集位置近傍のピクチャを復号するのに必要な参照ピクチャを含んだ位置から、上記第２の符号化ストリーム復号するように上記復号工程の復号を制御する制御工程と、上記復号工程により復号された上記第１の画像データと上記第２の画像データとを、上記第１の編集点及び上記第２の編集点で切り替えて出力することにより、編集された編集画像データを生成する編集工程とを含むビデオ信号編集方法が提供される。【００１１】  本発明によれば、第１の符号化ストリームと第２の符号化ストリームとを接続するビデオ信号編集方法であって、上記第１の符号化ストリームを、上記第１の符号化ストリームに設定された第１の編集位置近傍のピクチャを復号するの���必要な参照ピクチャを含んだ復号終了位置で区切るとともに、上記第２の符号化ストリームを、上記第２の符号化ストリームに設定された第２の編集位置近傍のピクチャを復号するのに必要な参照ピクチャを含んだ復号開始位置で区切る区切り工程と、上記第１の符号化ストリーム及び上記第２の符号化ストリームを復号して、第１の画像データ及び第２の画像データを生成する復号工程と、上記第１の符号化ストリームを上記区切り手段により区切られた復号終了位置まで復号するように、上記復号工程の復号を制御するとともに、上記第２の符号化ストリームを上記区切り手段により区切られた復号開始位置から復号するように、上記復号工程の復号を制御する制御工程と、上記復号工程により復号された第１の画像データと上記第第２の画像データとを、上記第１の編集点及び上記第２の編集点で切り替えて出力することにより、編集された編集画像データを生成する編集工程とを含むビデオ信号編集方法が提供される。【００１２】  本発明によれば、第１の符号化ストリームと第２の符号化ストリームとを記録媒体から読み出して接続するビデオ信号編集方法であって、上記記録媒体から、上記第１の符号化ストリームを上記第１の符号化ストリームに設定された第１の編集位置近傍のピクチャを復号するのに必要な参照ピクチャを含んだ位置まで読み出すとともに、上記第２の符号化ストリームを上記第２の符号化ストリームに設定された第２の編集位置近傍のピクチャを復号するのに必要な参照ピクチャを含んだ位置から読み出す読み出し工程と、上記読み出し工程により読み出された上記第１の符号化ストリーム及び上記第２の符号化ストリームを復号して、第１の画像データ及び第２の画像データを生成する復号工程と、上記第復号工程により復号された第１の画像データと上記第２の画像データとを、上記第１の編集点及び上記第２の編集点で切り替えて出力することにより、編集された編集画像データを生成する編集工程とを含むビデオ信号編集方法が提供される。
【発明の効果】
【００１３】  本発明のビデオ信号編集装置とビデオ信号編集方法によれば、フレーム間符号化により圧縮・符号化された映像信号を正常に接続して編集することができる。  しかも、編集の結果得られた映像信号を伸長・復号したとき、映像に乱れが生じることがない。【００１４】  本発明のビデオ信号編集装置およびビデオ信号編集方法は、放送局などにおけるビデオ信号の編集に用いることができる。
【発明を実施するための最良の形態】
【００１５】 第１実施例  以下、本発明のビデオ信号編集装置の第１の実施例を説明する。  図１を参照して本発明のビデオ信号編集装置１の構成を説明する。  図１は本発明のビデオ信号編集装置１の構成を示す図である。  ビデオ信号編集装置１は、映像信号が符号化されて記録されている光磁気ディスク（ＭＯ）１０から符号化映像信号を再生する光磁気ディスクドライブ（ＭＯドライブ）２０、信号変換・接続装置３０、伸長・復号装置４０および端末装置６０から構成されている。【００１６】  ＭＯディスク１０には、例えばＭＰＥＧ（Ｍｏｔｉｏｎ  Ｐｉｃｔｕｒｅ  Ｅｘｐｅｒｔ  Ｇｒｏｕｐ）方式によるフレーム間予測符号化（フレーム間圧縮・符号化）により圧縮・符号化された符号化映像信号が記録されている。より具体的に述べると、例えば、ＭＯディスク１０に記録されている符号化映像信号は、そのフレームの映像信号を復号する際に、両隣のフレームの映像データを必要とする両方向フレーム（Ｂフレーム）映像信号と、そのフレームの映像データ自体で完結しておりそのフレームの映像データを復号する際に他のフレームの映像データを必要としないイントラフレーム（Ｉフレーム）映像信号とを交互に含んでおり、Ｂフレーム映像信号とＩフレーム映像信号が、この順番に並べられて２フレームで１つのグループ（これをＧｒｏｕｐ  Ｏｆ  Ｐｉｃｔｕｒｅ（ＧＯＰ）と呼ぶ）を構成している。【００１７】  また、符号化映像信号Ｘ，Ｙそれぞれのフレームの先頭には、２種の符号化映像信号Ｘ，Ｙそれぞれを識別するために用いられる識別用フラグが設けられている。なお符号化映像信号Ｘ，Ｙとは、たとえば、Ｘ＝Ｉフレームの映像信号、Ｙ＝Ｂフレーム、または、この逆で、Ｘ＝Ｂフレームの映像信号、Ｙ＝Ｉフレームとなる任意の状態を示す意味に使用する。  ＭＯディスクドライブ２０は、端末装置６０により指定された編集位置に従って、所定の順番およびタイミングで、光学式ヘッド２２を介してＭＯディスク１０に記録されている符号化映像信号を読み出す。ＭＯディスクドライブ２０において、ＭＯディスク１０に記録された符号化映像信号を読みだす方法を図５〜図１１を参照して後述する。  上述した端末装置６０によって指定される編集位置は、ＶＴＲの編集などにおいて一般的に用いられているタイムコードにより指定される。指定されたタイムコードがＢフレームなのか、Ｉフレームなのかはビデオ信号を符号化するときに決定する。本実施例においてはＢフレームがタイムコードの偶数フレームになり、Ｉフレームが奇数フレームになるように決定している。  信号変換・接続装置３０は、ＳＣＳＩ（Ｓｍａｌｌ  Ｃｏｍｐｕｔｅｒ  ＳｍａｌｌＩｎｔｅｒｆａｃｅ）データ変換回路３２、バッファメモリ３４、パラレル／シリアル（Ｐ／Ｓ）変換回路３６、コンピュータを内蔵した制御回路（ＣＰＵ）３８および識別フラグ挿入回路３９から構成されている。  ＳＣＳＩデータ変換回路３２は、ＭＯディスク１０から読み出されたＳＣＳＩ形式の符号化映像信号を通常の符号化映像信号（本実施例ではＳＤＩフォーマットによるビデオ信号）に変換してバッファメモリ３４に出力する。バッファメモリ３４は、図５Ａを参照して後述するように、ＭＯディスク１０上をシ���クする時間間隔を有する符号化映像信号Ｘ，Ｙを信号変換・接続装置３０と伸長・復号装置４０と間の伝送速度の信号に変換し、多重化してＰ／Ｓ変換回路３６に出力する。Ｐ／Ｓ変換回路３６はバッファメモリ３４に記憶されている符号化映像信号をシリアル形式の信号（本実施例では、ＳＤＤＩフォーマットのビデオ信号）に変換して伸長・復号装置４０に出力する。【００１８】  制御回路３８は、信号変換・接続装置３０の各構成要素を制御する。  識別フラグ挿入回路３９はＰ／Ｓ変換回路３６と制御回路３８に対して符号化映像信号がＸであるかＹであるかを識別する識別フラグを挿入することを指示する。  伸長・復号装置４０は、シリアル／パラレル（Ｓ／Ｐ）変換回路４２、識別フラグ抽出回路４３、伸長・復号回路４４，４６、セレクタ回路４８、フレームメモリ５０、シリアルデータインターフェース（ＳＤＩ）変換回路５２およびコンピュータを内蔵した制御回路５４から構成される。  Ｓ／Ｐ変換回路４２は、接続装置３０のＰ／Ｓ変換回路３６から入力されたシリアル形式の符号化映像信号（本実施例ではＳＤＤＩフォーマットのビデオ信号）をパラレル形式の信号に変換する。Ｓ／Ｐ変換回路４２には符号化映像信号ＸとＹとは入り乱れて入力される。  識別フラグ抽出回路４３は、Ｓ／Ｐ変換回路４２でパラレル信号に変換されたＸとＹとは入り乱れている符号化映像信号を読み込んで、信号変換・接続装置３０において挿入された識別フラグを検出して、符号化映像信号がＸであるかＹであるかを識別し、その結果を示すフラグ（映像信号種別識別フラグ）を制御回路５４に出力する。  伸長・復号回路４４，４６は、信号処理の性能を高めるために２系統設けられている。これら伸長・復号回路４４，４６は符号化映像信号Ｘについては伸長・符号化回路４４で処理し、符号化映像信号Ｙについては伸長・符号化回路４６で処理するように分離して処理することもできる。その場合、識別フラグ抽出回路４３で抽出した映像信号種別識別フラグに基づいて制御回路５４が、符号化映像信号Ｘの場合は第１の伸長・符号化回路４４を動作させ、その結果をセレクタ回路４８から出力されるように制御し、また、符号化映像信号Ｙの場合は第２の伸長・符号化回路４６を動作させ、その結果をセレクタ回路４８から出力されるように制御する。あるいは、伸長・復号回路４４，４６をそれぞれ符号化映像信号Ｘ，Ｙのいずれも復号処理可能にしておき、たとえば、Ｓ／Ｐ変換回路４２に到来する信号を伸長・復号回路４４，４６の両者に入力されるようにしておき、制御回路５４からそれぞれの伸長・復号回路４４，４６に印加される識別フラグ抽出回路４３で抽出した映像信号種別識別フラグを参照して該当する伸長・復号回路４４または４６が処理を遂行し、その結果を制御回路５４からの指令に応答して動作するセレクタ回路４８から出力されるようにすることもできる。【００１９】  なお、以上の制御回路５４の制御動作は、映像信号種別識別フラグだけはなく、制御回路５４が編集位置（切換位置）を示すＧＯＰ、有効数を参照して行う。  セレクタ回路４８は、制御回路５４の上述した制御に従って伸長・復号回路４４，４６で伸長・復号された映像信号ＸまたはＹのいずれかを選択してフレームメモリ５０に出力する。  フレームメモリ５０はセレクタ回路４８から出力された映像信号をフレーム単位で記憶する。  ＳＤＩ変換回路５２は、フレームメモリ５０に記憶されたシリアルディジタルデータインターフェース（ＳＤＤＩ）フォーマットのビデオ信号を、ＳＭＰＴＥ（Society of Motion and Television Engineerings ）の規格ＳＭＰＴＥ−２５９Ｍにおいて標準化されているＳＤＩフォーマットで後述するアクティブビデオ（ＡＣＶ）部に乗せて出力する。  ここで、ＳＤＩフォーマットとＳＤＤＩフォーマットについて述べる。【００２０】 ＳＤＩ伝送フォーマット  図２ＡはＳＤＩフォーマットのビデオ信号のフレームの全体構成を示す図であり、図２ＢはＳＤＩフォーマットの伝送用パケットの構成を示す図である。  ＮＴＳＣ５２５方式のビデオ信号の場合、ＳＤＩフォーマットのディジタルビデオ信号は、１ライン当たり１０ビット／ワードで、（４＋２６８＋４＋１４４０）＝１７１６ワード、垂直方向に５２５ラインで構成されている。またＰＡＬ６２５方式のビデオ信号の場合、ＳＤＩフォーマットのディジタルビデオ信号は、水平方向に１ライン当たり１０ビット／ワードで、（４＋２８０＋４＋１４４０）＝１７２８ワード、垂直方向に６２５ラインで構成されている。図において、括弧内の数字はＰＡＬ６２５方式のビデオ信号の数値を示しており、括弧がない数字はＮＴＳＣ５２５方式のビデオ信号の数値を示している。以下、ＮＴＳＣ５２５方式の場合のみ述べる。【００２１】  各ラインについて、第１ワードから第４ワードまでの４ワードはアクティブビデオ部ＡＣＶの終了を示し、後述するアンシラリデータ部ＡＮＣとを分離する符号、アクティブビデオ部終了符号ＥＡＶ（Ｅｎｄ  ｏｆ  Ａｃｔｉｖｅ  Ｖｉｄｅｏ）を格納する領域として用いる。４ワードの符号ＥＡＶは１６進表示で、３ＦＦ，０００，０００，ＸＹＺ（任意のデータ）である。  各ラインについて、ＮＴＳＣ５２５方式の場合は第５ワードから第２７２ワードまでの２６８ワードは、水平方向アンシラリデータ部ＡＮＣとして用いられ、ヘッダ、補助データおよび音声データ等が格納される。  各ラインについて、ＮＴＳＣ５２５方式の場合は第２７３から第２７６ワードまでの４ワードは、アクティブビデオ部ＡＣＶの開始を示し、アンシラリデータ部ＡＮＣとを分離する符号、アクティブビデオ部開始符号ＳＡＶ（Ｓｔａｒｔ  ｏｆ  Ａｃｔｉｖｅ  Ｖｉｄｅｏ）が格納される。４ワードの符号ＳＡＶは１６進表示で、３ＦＦ，０００，０００，ＸＹＺ（任意のデータ）である。つまりＥＡＶとＳＡＶとは、最初の３ワードが同じデータである。  ＮＴＳＣ５２５方式の場合もＰＡＬ６２５方式の場合も、水平方向に同じワード数、１４４０ワードのアクティブビデオ部ＡＣＶ（Ａｃｔｉｖｅ  Ｖｉｄｅｏ）が設けられており、ここにビデオ信号が格納される。５２５ライン（ＮＴＳＣ５２５方式の場合）は２つに大きく領域が分割されている。つまり、ＮＴＳＣ５２５方式の場合、第１０ラインから第２６３ラインまで（１０＋２４４＝２５４ライン）が第１フィールドのアクティブビデオ部ＡＣＶ1 として用いられ、第２７３ラインから第５２５ラインまでの（１０＋２４３＝２５３ライン）が第２フィールドのアクティブビデオ部ＡＣＶ2 として用いられる。【００２２】  上述したＳＤＩフォーマットの信号は、２７０Ｍｂｐｓのシリアル伝送信号に変換されて編集装置などの装置相互間で送受信される。  規格ＳＭＰＴＥ−２５９は基本的にはディジタル信号の規格であるＤ１フォーマットまたはＤ２フォーマットを対象とした信号規格である。したがって、ＳＤＩフォーマットの信号もＤ１フォーマットまたはＤ２フォーマットのディジタルＡＶ信号として伝送に用いられる。ＳＤＩフォーマットの信号の伝送速度（伝送周波数）は２７０ＭＨｚと高速である。しかしながら、ＳＤＩフォーマットの信号は標準化のため、伝送可能な信号の量がディジタルビデオ信号１チャネル分のみに制限され、さらにベースバンドの音声信号８チャネル分のみに制限されている。そのため、ＳＤＩフォーマットを用いると伝送の限界に遭遇することがある。【００２３】 ＳＤＤＩフォーマット  そこで本願出願人は、ＳＤＩフォーマットの利点を生かしつつ、ＳＤＩフォーマットと部分的に共通性を保ちながら、マルチメディア化またはマルチチャネル化などに好適であることはもとより、ローカルエリアネットワーク（ＬＡＮ）、イサーネット（Ｅｔｈｅｒ  Ｎｅｔ）、トークンリング（Ｔｏｋｅｎ  Ｒｉｎｇ）などのデータ通信系統においても好適な新規なディジタルデータフォーマットを提案している（たとえば、平成６年（１９９４年）６月２７日出願の特願平６−１４４，４０３号、「ディジタル信号伝送方法、ディジタル信号送信装置及び受信装置、並びに送受信装置」を参照されたい）。本出願人が提案した新たなフォーマットを、“シリアルディジタルデータ・インターフェース（ＳＤＤＩ）“のフォーマットと呼ぶ。  図３ＡはＳＤＤＩフォーマットを示す図であり、図３Ｂは図２Ａに図解したＳＤＤＩフォーマットの伝送用パケットの構成を示す図である。図４Ａは図３Ｂに示したＳＤＤＩフォーマットの伝送用パケットのアンシラリデータ部ＡＮＣに含まれるデータ、特に、ヘッダ（ＨＥＡＤＥＲ）の構成を示す図であり、図４Ｂは図４Ａに示したヘッダデータがアンシラリデータ部ＡＮＣに占める位置とその前後関係を示す図である。  ＮＴＳＣ５２５方式のビデオ信号の場合、ＳＤＤＩフォーマットのディジタルビデオ信号は、水平方向に１ライン当たり１０ビット／ワードで、（４＋２６８＋４＋１４４０）＝１７１６ワード、垂直方向に５２５ラインで構成されている。また、ＰＡＬ６２５方式のビデオ信号の場合、ＳＤＤＩフォーマットのディジタルビデオ信号は、水平方向に１ライン当たり１０ビット／ワードで、（４＋２８０＋４＋１４４０）＝１７２８ワード、垂直方向に６２５ラインで構成されている。図において、括弧内の数字はＰＡＬ６２５方式のビデオ信号の数値を示しており、括弧がない数字はＮＴＳＣ５２５方式のビデオ信号の数値を示している。以下、ＮＴＳＣ５２５方式についてのみ述べる。【００２４】  各ラインについて、第１ワードから第４ワードまでの４ワードは、ペイロード部ＰＡＤ（ＳＤＩ信号のアクティブビデオ部ＡＣＶに相当する部分）の終了を示し、後述するアンシラリデータ部ＡＮＣとを分離する符号ＥＡＶ（Ｅｎｄ  ｏｆ  Ａｃｔｉｖｅ  Ｖｉｄｅｏ）を格納する領域として用い��。  各ラインについて、ＮＴＳＣ５２５方式の場合は第５ワードから第２７２ワードまでの２６８ワードは、アンシラリデータ部ＡＮＣとして用いられ、ヘッダ、補助データ等が格納される。  各ラインにおいて、ＮＴＳＣ５２５方式の場合は第２７３から第２７６ワードまでの４ワードペイロード部ＰＡＤ（アクティブビデオ部ＡＣＶ）の開始を示し、アンシラリデータ部ＡＮＣとを分離する符号ＳＡＶ（Ｓｔａｒｔ  ｏｆ  Ａｃｔｉｖｅ  Ｖｉｄｅｏ）が格納される。  ＮＴＳＣ５２５方式の場合の容量もＰＡＬ６２５方式の場合の容量も同じく、水平方向に１４４０ワードのペイロード部ＰＡＤが設けられており、ここにビデオ信号およびオーディオ信号が格納される。ＳＤＩフォーマットにおいてはオーディオ信号はアンシラリデータ部ＡＮＣにのみ格納されたが、ＳＤＤＩフォーマットにおいてはビデオ信号だけでなくオーディオ信号もペイロード部ＰＡＤに格納できる。なお、本発明においては、後述するように、編集位置（切換位置）における映像信号の乱れを防止するため、映像信号に重複する部分（のりしろ）を付加し、切換位置を正確に示す情報、ＧＯＰの数、有効数、映像信号の種別ＸまたはＹを用いるか、これらの情報を、ＳＤＤＩフォーマットのペイロード部ＰＡＤのＶｉｄｅｏ  Ｃｏｎｔｒｏｌ  Ｃｏｍｍａｎｄ（図示せず）に切換相手のＧＯＰが判るように設定する。【００２５】  アクティブビデオ部の終了符号ＥＡＶは、ＳＤＩ信号のＥＡＶと最初の３ワードは、同じ、３ＦＦ，０００，０００，ＸＹＺで構成されている。ＥＡＶの後にＳＤＤＩフォーマット特有のアンシラリデータ部ＡＮＣが続く。ヘッダデータはＳＤＤＩフォーマットの伝送用パケットのアンシラリデータ部ＡＮＣの先頭に位置している。【００２６】 ＳＤＩフォーマットとＳＤＤＩフォーマットとの共通点  ＳＤＩフォーマットとＳＤＤＩフォーマットの各ラインのデータ長、フレーム構成およびデータ伝送速度は同じにし、さらに、ＳＤＩフォーマットの伝送用パケットとＳＤＤＩフォーマットの伝送用パケットとに共通性を持たせている。    ＳＤＤＩフォーマットのビデオ信号の各ラインは、ＳＤＩフォーマットのビデオ信号の各ラインと同様に、水平方向に１ライン当たり同じワード数（１０ビット／ワードで、１７２４（１７１６）ワード）、垂直方向に同じライン数（５２５（６２５）ライン）で構成されており、ＳＤＩフォーマットの符号ＳＡＶ，ＥＡＶ、アンシラリデータ部ＡＮＣおよびアクティブビデオ部ＡＣＶ1 ，ＡＣＶ2 にそれぞれ相当する分離符号ＳＡＶ，ＥＡＶ、アンシラリデータ部ＡＮＣおよびペイロード部ＰＡＤ（データ部ＤＴ）を含む。【００２７】  ＳＤＩフォーマットの信号もＳＤＤＩフォーマットの信号も２７０Ｍｂｐｓのシリアル形式の伝送信号に変換されて送受信される。したがって、同じ速度で信号処理できる。【００２８】 ＳＤＩフォーマットとＳＤＤＩフォーマットとの相違点  ＳＤＩフォーマットにおいてはアンシラリデータ部ＡＮＣにオーディオ信号を格納するが、ＳＤＤＩフォーマットはＳＤＩフォーマットと異なり、アンシラリデータ部ＡＮＣデータにオーディオ信号を含まず、ペイロード部分にオーディオ信号およびビデオ信号を格納する。  ＳＤＤＩフォーマットの��号のフレームには、ＳＤＩビデオ信号の垂直ブランキング部ＶＢＫに対応する部分は含まれていない。  本実施例においては、ＭＯディスク１０からＳＤＩフォーマットで読み出されて、Ｐ／Ｓ変換回路３６からＳＤＤＩフォーマットで出力され、伸長・復号装置４０の内部はＳＤＤＩフォーマットの処理されて、ＳＤＩ変換回路５２でＳＤＩフォーマットの信号に変換されて外部に出力されていく。【００２９】  以下、図５Ａ〜図５Ｄ〜図９Ａ、図９Ｂ、および、図１０および図１１を参照し、符号化映像信号Ｘの中に符号化映像信号Ｙを挿入する場合を具体例としてビデオ信号編集装置１の動作を説明する。  図５Ａ〜図５Ｄは図１に示したビデオ信号編集装置１の動作を説明する信号形態図であって、図５ＡはＭＯディスクドライブ２０からＳＣＳＩ形式の符号化映像信号Ｘ，Ｙが交互に出力されるタイミングを示し、図５Ｂは信号変換・接続装置３０から映像信号Ｘ，Ｙの編集位置（切換位置）を示すＧＯＰが出力されるタイミングを示し、図５Ｃおよび図５Ｄはそれぞれ、伸長・復号回路４４，４６において符号化映像信号Ｘ，Ｙが復号されるタイミングを示す。  図６Ａ、図６Ｂ、図６Ｃ〜図９Ａ、図９Ｂは、それぞれ編集位置と符号化映像信号Ｘ，Ｙのフレームとの関係、および、図１に示した信号変換・接続装置３０から伝送されてきた符号化映像信号を示す図である。図６Ａ、図７Ａ、図８Ａおよび図９Ａは編集位置と符号化映像信号Ｘ，Ｙのフレームとの関係を示し、図６Ｂ、図７Ｂ、図８Ｂおよび図９Ｂは信号変換・接続装置３０から伝送されてきた符号化映像信号のフォーマットを示す。【００３０】  ＭＯディスクドライブ２０は、ＭＯディスク１０から、端末装置６０を介して指定された順番および時間長で、図５Ａに示すタイミングで符号化映像信号Ｘ，Ｙをそれぞれ読み出して信号変換・接続装置３０に対して出力する。ＭＯディスクドライブ２０から読み出された符号化映像信号Ｘ，Ｙの間には、ＭＯディスク１０上をシーク（ＳＥＥＫ）する時間だけ間隔が生じている。  ＭＯディスク１０から読み出された符号化映像信号は、ＳＣＳＩデータ変換回路３２を介してバッファメモリ３４に入力される。バッファメモリ３４は、符号化映像信号の速度を変換し、多重化してＰ／Ｓ変換回路３６に対して出力する。Ｐ／Ｓ変換回路３６は、符号化映像信号をシリアル形式の映像信号に変換して伸長・復号装置４０に伝送する。    伸長・復号装置４０内のＳ／Ｐ変換回路４２は、信号変換・接続装置３０内のＰ／Ｓ変換回路３６から伝送されてきたＳＤＤＩフォーマットの符号化映像信号をパラレル形式の映像信号に変換する。ここで、Ｓ／Ｐ変換回路４２から伸長・復号回路４４，４６に対して出力される符号化映像信号Ｘ，Ｙは、図５Ｃ，図５Ｄの斜線部分に示すように、各符号化映像信号Ｘ，Ｙそれぞれが完全に復号可能とするために、一部重複するように信号変換・接続装置３０から伝送されている。  これらの符号化映像信号Ｘ，Ｙの重複する部分を、本明細書において「のりしろ（重複部分）」と呼ぶ。のりしろを付加して編集位置で映像信号の乱れを防止するのが本発明の意図するところである。  ところが、Ｐ／Ｓ変換回路５２から出力されるシリアル形式の符号化ビデオ信号（つまり、ＳＤＤＩフォーマットのビデオ信号）のＧＯＰの数は図５Ｂに示すように「のりしろ」部分で増加する。したがって、編集位置（切換位置）を正確に決めるには、ＧＯＰの数、有効数、映像信号の種別ＸまたはＹが必要になる。これらの編集位置（切換位置）を示す情報は、ＳＤＤＩフォーマットのペイロード部ＰＡＤのＶｉｄｅｏ  ＣｏｎｔｒｏｌＣｏｍｍａｎｄ（図示せず）に切換相手のＧＯＰが判るように設定する。  伸長・復号回路４４は、Ｓ／Ｐ変換回路４２から入力された符号化映像信号Ｘを伸長・復号する。つまり、伸長・復号回路４４には、識別フラグ抽出回路４３で抽出され、制御回路５４を介して伸長・復号回路４４に入力される自らが伸長・復号すべき符号化映像信号Ｘの識別フラグの値が設定されており、入力されてきた符号化映像信号の各フレームの識別フラグが設定された値と一致する場合にのみ、符号化映像信号の各フレームの映像データを伸長・復号して元の映像信号ＸまたはＹを生成し、識別フラグの一致を制御回路５４に対して通知する。【００３１】  伸長・復号回路４６も、符号化映像信号ＹまたはＸについて伸長・復号回路４４と同様の動作を行って、符号化映像信号Ｙから元の映像信号ＹまたはＸを生成し、識別フラグの一致を制御回路５４に対して通知する。  セレクタ回路４８は、制御回路５４の制御に従って、伸長・復号回路４４，４６が生成した映像信号Ｘ，Ｙのいずれかを選択してフレームメモリ５０に対して出力する。つまり、伸長・復号回路４４，４６のいずれかが識別フラグの一致を示している場合には識別フラグが一致している方の映像信号を出力する。  また伸長・復号回路４４，４６の両方が識別フラグの一致を示している場合には、例えば、先に伸長・復号回路４４，４６のいずれかから出力されている映像信号が終了するまでその映像信号を出力し、その映像信号が終了した後に他の映像信号を出力する。  フレームメモリ５０は、セレクタ回路４８から入力されてきた映像信号をフレーム単位で記憶し、ＳＤＩ変換回路５２は、フレームメモリ５０に記憶された映像信号をＳＤＩ方式のビデオ信号として出力する。【００３２】 編集位置に対するフレームの組み合わせ  編集位置に対するフレームの組み合わせは、符号化映像信号Ｘ，ＹがそれぞれＢフレームの映像信号とＩフレームの映像信号とになる場合（図６Ａ）、それぞれＩフレームとＢフレームとになる場合（図７Ａ）、両方がＢフレームとなる場合（図８Ａ）、および、両方がＩフレームとなる場合（図９Ａ）の４通りがある。図１０はこれを図解したフローチャートである。  以下、編集位置に対するフレームの組み合わせごとに、ＭＯディスクドライブ２０がＭＯディスク１０から符号化映像信号を読み出し、信号変換・接続装置３０から伝送する方法を説明する。【００３３】 図１０、ステップ２〜４  図６Ａに示すように、符号化映像信号Ｘ，ＹがそれぞれＢフレーム映像信号とＩフレーム映像信号とになる場合には、そのまま読み出すと（区切ると）、符号化映像信号Ｙを完全に伸長・復号できるが、符号化映像信号Ｘを完全には伸長・復号できないことになる。このような場合には、ＭＯディスクドライブ２０はＭＯディスク１０から図６Ａに示す符号化信号Ｘ２のＢフレーム映像���号に次の符号化信号Ｘ２のＩフレーム映像信号を付加して読み出す。その結果、図６Ｂに示すように信号変換・接続装置３０からは、「のりしろ」の部分以前のＧＯＰには、それぞれ符号化映像信号Ｘ（Ｘ１）のみが出力され、編集位置においては「のりしろ」に対応するＧＯＰには符号化映像信号Ｘ２と符号化映像信号Ｙ２とが出力され、「のりしろ」の後のＧＯＰには符号化映像信号Ｙ（Ｙ３，Ｙ４，…）が出力される。【００３４】  なお、のりしろは図６Ｂに示すように、ＳＤＤＩフォーマットに付けられる。図６Ｃは、図６Ｂに示したＳＤＤＩフォーマットの信号を伸長・復号回路４４，４６で伸長・復号したＳＤＩフォーマットの符号化信号を図解したものである。  切換位置を示す情報、つまり、ＧＯＰの数、有効数、映像信号の種別Ｘ，Ｙは前述したように、ＳＤＤＩフォーマットのペイロード部ＰＡＤ（図３Ｂ）のＶｉｄｅｏ  Ｃｏｎｔｒｏｌ  Ｃｏｍｍａｎｄ（図示せず）の部分に、切換相手のＧＯＰが判るように設定されている。したがって、制御装置５４はこれらの情報を参照した切換制御を行う。【００３５】 図１０、ステップ５〜７  図７Ａに示すように、符号化映像信号Ｘ，ＹがそれぞれＩフレーム映像信号とＢフレーム映像信号とになる場合には、そのまま読み出すと符号化映像信号Ｘを完全に伸長・復号できるが、符号化映像信号Ｙが完全には伸長・復号不可能とない。このような場合には、ＭＯディスクドライブ２０は、符号化映像信号Ｙについて、編集位置の一つ前のＧＯＰの符号化映像信号Ｙ２から読み出す。その結果、図７Ｂに示すように、信号変換・接続装置３０からは、図６Ｂに示したのと同様な符号化映像信号が出力される。【００３６】 図１０、ステップ８〜１０  図８Ａに示すように、符号化映像信号Ｘ，Ｙが両方ともＢフレーム映像信号となる場合には、そのまま読み出すと符号化映像信号Ｘ，Ｙが両方とも完全には伸長・復号不可能となってしまう。このような場合には、ＭＯディスクドライブ２０は、図８Ｂの信号ａ，ｂにそれぞれ示すように、符号化映像信号Ｘについては符号化映像信号Ｘ２のＩフレーム映像信号を付加して読み出し、符号化映像信号Ｙについては編集位置の１つ前の符号化映像信号Ｙ２から読み出し、信号変換・接続装置３０から図５Ｂの信号ａ，ｂのいずれかのタイミングで出力される。これらいずれの方法によっても、符号化映像信号Ｘ，Ｙの両方を完全に伸長・復号することができるので、ビデオ信号編集装置１の実際の構成に適した方法を採用することができる。【００３７】  図８Ｂのａとｂとを比較すると、ｂのほうが、のりしろの位置が先行している。このことは、伸長・復号回路４４，４６の処理には時間的余裕も充分あり都合がいい。【００３８】 図１０、ステップ８、１１、１２  図９Ａに示すように、符号化映像信号Ｘ，Ｙが両方ともＩフレーム映像信号となる場合には、そのまま読み出しても符号化映像信号Ｘ，Ｙが両方とも完全に伸長・復号可能である。このような場合には、ＭＯディスクドライブ２０は、図９Ｂの信号ａ，ｂにそれぞれ示すように、符号化映像信号Ｘについては、符号化映像信号Ｘ２までを読み出し、符号化映像信号Ｙについては編集位置から、あるいは、編集位置の１つ前から読み出す等の方法が考えられる。  図８Ｂに示した場合と同様に、これらいずれの方法によっても、符号化映像信号Ｘ，Ｙの両方を完全に伸長・復号することができるので、ビデオ信号編集装置１の実際の構成に適した方法を採用することができる。【００３９】 第１実施例  第１の実施例に示したビデオ信号編集装置１によれば、ＭＯディスク１０から複数の符号化映像信号を、それぞれ編集位置と符号化映像信号のフレームとの関係で定まる所定のフレームを付加するようにＭＯディスクドライブ２０により読み出し、信号変換・接続装置３０により多重化することにより、容易に接続、編集することができ、しかも、編集の結果得られた映像信号に乱れが生じない。  また図８などに示したように、編集位置と符号化映像信号のフレームとの関係で付加すべきフレームの選択の自由度が高いので、ビデオ信号編集装置１の設計が容易である。【００４０】  第１の実施例においては、ビデオ信号編集装置１をＭＯディスクドライブ２０でＭＯディスク１０から符号化映像信号を読み出す際に、符号化映像信号を完全に伸長・復号するためのフレームを付加するように構成したが、例えばＭＯディスク１０から符号化映像信号を読み出した後、符号化映像信号を一度メモリに記憶してから付加すべきフレームを定め、そのフレームを付加するように構成してもよい。このように、一度メモリに記憶してから所定のフレームを付加するように構成しても、第１の実施例に示したように、ＭＯディスクドライブ２０から読み出す際に所定のフレームを付加するように構成しても、符号化映像信号を区切るという意味ではこれらは同等である。  また図６〜図９に示したＭＯディスク１０から符号化映像信号を読み出す際の方法は例示であり、例えば「のりしろ」となる部分がさらに広くなるように規則を定めてもよい。  さらに伸長・復号装置４０から出力される信号のフォーマットは、ＳＤＩフォーマットに限らず、他の信号フォーマットであってもよい。【００４１】  以上のように、ＭＯディスクドライブ２０からのりしろを付けるように読み出された信号は、図１１に示すフローチャートの処理に従って、信号変換・接続装置３０（編集装置）において処理される。【００４２】 第２実施例  以下、本発明のビデオ信号編集装置の第２の実施例として、第１の実施例に示したのと異なるＧＯＰの構成を採るＭＯディスク１０を用いる場合に、ＭＯディスク１０から符号化映像信号を読み出す規則を説明する。  第２の実施例において、ＭＯディスク１０には、１ＧＯＰが４フレーム、つまり、第１のＢフレーム、Ｉフレーム、第２のＢフレームおよびそのフレームの映像データを伸長・復号する際に、その前のＩフレームの映像データを必要とする前方向フレーム（Ｐフレーム）が、この順番に並べられて構成された符号化映像信号が記録されている。  以下、このようなＭＯディスク１０について、ＧＯＰ単位に符号化映像信号の読み出しを行う場合について説明する。  編集位置が符号化映像信号の先頭に当たる場合には、その符号化映像信号の先フレームが第１のＢフレームの場合のみ１つ前のＧＯＰの先頭から読み出し、それ以外は同一のＧＯＰの先頭から読み出し、編集位置がその符号化映像信号の最後に当たる場合には、同一のＧＯＰのＰフレームまでを読み出せばよい。【００４３】  編集位置が符号化映像信号の先頭となる場合の規則を説明する。  このような場合であって、編集位置が第１のＢフレームに当たる場合には、Ｂフレームを伸長・復号するために、前のＰフレームを必要とするため、１つ前のＧＯＰの先頭から読み出す。  編集位置がＩフレームに当たる場合には、伸長・復号の際に必要な前後フレームを必要としないため、同一のＧＯＰの先頭から読み出す。  編集位置が第２のＢフレームに当たる場合には、伸長・復号の際に必要な前後のＩフレームとＰフレームは同一のＧＯＰ内に存在するため、同一のＧＯＰの先頭から読み出す。  編集位置がＰフレームに当たる場合には、伸長・復号の際に必要なＩフレームは同一のＧＯＰ内に存在するため、同一のＧＯＰの先頭から読み出す。【００４４】  次に、編集位置が符号化映像信号の最後となる場合の規則を説明する。  この場合、ＧＯＰ内の最後のフレームがＰフレームであり、編集位置がどのフレームに当たっても、伸長・復号の際に次のＧＯＰを必要としないため、いずれの場合も同一ＧＯＰのＰフレームまでを読み出せばよい。【００４５】  編集位置が第２のＢフレームに当たる場合には、それ以降の他のＧＯＰのＩフレーム、または、同一のＧＯＰまたはそれ以前の他のＧＯＰのＰフレームまでを読み出す。  編集位置がＰフレームに当たる場合には、何らのフレームを付加せずに、同一のＧＯＰまたはそれ以降の他のＧＯＰのＩフレーム、または、それ以降の他のＧＯＰのＰフレームまでを読み出す。【００４６】  以上の規則に従って、ＭＯディスクドライブ２０がＭＯディスク１０から符号化映像信号を読み出すように構成することにより、接続した後の各符号化映像信号を完全に伸長・復号することができる。  なお図５等に示したように、「のりしろ」部分の長さは、ビデオ信号編集装置１の実際の構成に合わせて定めればよい。  以上に示したＭＯディスク１０から符号化映像信号を読み出す規則は、１つ以上のＢフレーム、１つのＩフレーム、および、１つ以上のＰフレームが任意の順番で並べられたＧＯＰの構成を有するＭＯディスク１０を読み出す場合に共通である。  したがって、上述の規則を用いる限り、本発明のビデオ信号編集装置によれば、ＧＯＰ構成が、１つ以上のＢフレーム、１つのＩフレーム、および、１つ以上のＰフレームが任意の順番で並べられているという条件を満たす限り、いかなる符号化映像信号の接続、編集をも行うことが可能である。【００４７】  また例えば伸長・復号回路４４を第２の実施例に示したＧＯＰの構成を有する符号化映像信号用に構成し、伸長・復号回路４６を第１の実施例に示したＧＯＰの構成を有する符号化映像信号用に構成して、ビデオ信号編集装置１を、これらの異なるＧＯＰ構成の符号化映像信号を接続する装置として用いることもできる。【００４８】  本発明のビデオ信号編集装置およびビデオ信号方法について、各実施例に示したほか、ここで述べた変形例に示すように、種々の構成をとることができる。たとえば、ＭＯディスク１０に代えて、ハード・ディスク、および、ＭＯディスクドライブ２０に代えてハード・ディスクドライブを用いることもできる。【００４９】  以上述べたように、本発明のビ���オ信号編集装置とビデオ信号編集方法によれば、フレーム間符号化により圧縮・符号化された映像信号を接続して編集することができる。  しかも、編集の結果得られた映像信号を伸長・復号して見ても、映像に乱れが生じることがない。
【図面の簡単な説明】
【００５０】
【図１】図１は本発明のビデオ信号編集装置の構成を示す図である。
【図２】図２Ａおよび図２Ｂは本発明のビデオ信号の第１の伝送フォーマットの１例としてＳＤＩフォーマットを図解する図である。
【図３】図３Ａおよび図３Ｂは本発明のビデオ信号の第２の伝送フォーマットの１例としてＳＤＤＩフォーマットを図解する図である。
【図４】図４Ａおよび図４Ｂは図３Ａおよび図３Ｂに示したＳＤＤＩフォーマットのアンシラリー部の詳細構成を示す図である。
【図５】図５は図１に示したビデオ信号編集装置の動作を説明する図であって、図５Ａは光磁気ディスクドライブからＳＣＳＩ形式の２種の符号化映像信号Ｘ，Ｙが出力されるタイミングを示し、図５Ｂは接続装置から符号化映像信号のＧＯＰが出力されるタイミングを示し、図５Ｃおよび図２Ｄはそれぞれ、２つの復号回路において符号化映像信号Ｘ，Ｙが復号されるタイミングを示す図である。
【図６】図６は編集位置に符号化映像信号Ｘ，ＹそれぞれのＢフレームとＩフレームが当たる場合に、図１に示した接続装置から出力される符号化映像信号を示す図であって、図６Ａは編集位置と符号化映像信号Ｘ，Ｙのフレームとの関係を示す図であり、図６Ｂは接続装置から出力されるＳＤＤＩフォーマットの符号化映像信号の内容を示す図であり、図６Ｃは図６Ｂに示したＳＤＤＩフォーマットの信号をＳＤＩフォーマットの信号に変換した図である。
【図７】図７は編集位置に符号化映像信号Ｘ，ＹそれぞれのＩフレームとＢフレームが当たる場合に図１に示した接続装置から出力される符号化映像信号を示す図であって、図７Ａは編集位置と符号化映像信号Ｘ，Ｙのフレームとの関係を示す図であり、図７Ｂは接続装置から出力される符号化映像信号の内容を示す図である。
【図８】図８は編集位置に符号化映像信号Ｘ，ＹそれぞれのＢフレームが当たる場合に図１に示した接続装置から出力される符号化映像信号を示す図であって、図８Ａは編集位置と符号化映像信号Ｘ，Ｙのフレームとの関係を示す図であり、図８Ｂは接続装置から出力される符号化映像信号の内容を示す図である。
【図９】図９は編集位置に符号化映像信号Ｘ，ＹそれぞれのＩフレームが当たる場合に図１に示した接続装置から出力される符号化映像信号を示す図であって、図９Ａは編集位置と符号化映像信号Ｘ，Ｙのフレームとの関係を示す図であり、図９Ｂは接続装置から出力される符号化映像信号の内容を示す図である。
【図１０】図１０は図６〜図９に示した編集の信号処理を示すフローチャートである。
【図１１】図１１は図６〜図９に示した編集の信号処理を示すフローチャートである。
【符号の説明】
【００５１】  １０・・ＭＯディスク、２０・・ＭＯディスクドライブ、２２・・光学式ヘッド、３０・・信号変換・接続装置、３２・・ＳＣＳＩデータ変換回路、３４・・バッファメモリ、３６・・Ｐ／Ｓ変換回路、３８・・制御回路、３９・・識別フラグ挿入回路、４０・・伸長・復号装置、４２・・Ｓ／Ｐ変換回路、４３・・識別フラグ抽出回路、４４，４６・・伸長・復号回路、４８・・セレクタ回路、５０・・フレームメモリ、５２・・ＳＤＩ変換回路、５４・・制御回路